(57)【要約】  液体透過性トップシートであって、トップシートの少なくとも一部分が疎水性になるように処理されている、液体透過性トップシートと、当該トップシートに接合されたバックシートと、当該トップシートと当該バックシートとの間に配設された吸収性コアであって、当該吸収性物品が着用されているときに着用者の皮膚に向かって方向付けられる内側表面と、当該吸収性物品が着用されているときに着用者の衣類に向かって方向付けられる外側表面と、を有する、吸収性コアと、当該トップシートの当該外側表面の少なくとも一部分に適用される界面活性剤であって、トップシートは、疎水性に処理されており、親水性界面活性剤は、疎水性に処理された領域に添加される、界面活性剤と、を含む、吸収性物品が開示される。
2021527501.tif 000002
【特許請求の範囲】
【請求項１】
吸収性物品（１１０）であって、
液体透過性トップシート（１１４）であって、前記吸収性物品の内部に向かって方向付けられる内側表面と、前記吸収性物品が着用されているときに着用者の皮膚に向かって方向付けられる外側表面と、を有し、前記トップシートの少なくとも一部分が疎水性となるように処理されている、液体透過性トップシート（１１４）と、
前記トップシートに接合されたバックシート（１１６）であって、前記吸収性物品の前記内部に向かって方向付けられる内側表面と、前記吸収性物品が着用されているときに前記着用者の衣類に向かって方向付けられる外側表面と、を有する、バックシート（１１６）と、
前記トップシートと前記バックシートとの間に配設された吸収性コア（１１８）であって、前記吸収性物品が着用されているときに前記着用者の前記皮膚に向かって方向付けられる内側表面と、前記吸収性物品が着用されているときに前記着用者の前記衣類に向かって方向付けられる外側表面と、を有する、吸収性コア（１１８）と、
前記トップシートの前記外側表面の少なくとも一部分に適用される界面活性剤であって、前記トップシートは、疎水性になるように処理されており、親水性界面活性剤は、疎水性になるように処理された領域に添加される、界面活性剤と、を含む、吸収性物品（１１０）。
【請求項２】
前記トップシートは疎水性ゾーンと親水性ゾーンとを含み、前記親水性ゾーンは、疎水性処理剤を有する領域上に配置された親水性界面活性剤を含む、請求項１に記載の吸収性物品。
【請求項３】
前記界面活性剤は、非イオン性、カチオン性、アニオン性、又はこれらの組み合わせである、請求項１又は２に記載の吸収性物品。
【請求項４】
前記界面活性剤は、Ｃ１２以上の炭素鎖を有するＰＥＧジエステルを含む、請求項１〜３のいずれか一項に記載の吸収性物品。
【請求項５】
前記界面活性剤は、Ｃ１２以上のアルコールエトキシレート又はＰＥＧジエステルを含む、請求項１〜４のいずれか一項に記載の吸収性物品。
【請求項６】
前記界面活性剤は、少なくとも５個のエチレンオキシド単位、より好ましくは６個のエチレンオキシド基と２０個のエチレンオキシド基との間にあるＰＥＧ基を含む、請求項１〜５のいずれか一項に記載の吸収性物品。
【請求項７】
前記界面活性剤は、５０％超のＣ１２以上の鎖長を有するブレンドを含む、請求項１〜６のいずれか一項に記載の吸収性物品。
【請求項８】
前記界面活性剤は、ヒドロキシル酸アルキル鎖を含有するエトキシル化誘導体を含む、請求項１〜７のいずれか一項に記載の吸収性物品。
【請求項９】
前記トップシートは、約４個〜約３２個の炭素原子を有する石油系炭化水素、約１２個〜約２４個の炭素原子を有する脂肪アルコール、ポリシロキサン化合物、脂肪酸エステル、アルキルエトキシレート、脂肪鎖中に約１２個〜約２８個の炭素原子を有する脂肪アルコールエーテル、ラノリン及びその誘導体、Ｃ１２〜Ｃ２８脂肪酸のアセトグリセリド及びエトキシル化グリセリドを含むグリセリド誘導体、脂肪酸アミド、並びにこれらの組み合わせからなる群から選択される処理剤によって疎水性になるように処理される、請求項１〜８のいずれか一項に記載の吸収性物品。
【請求項１０】
前記トップシートは、アミド、トリグリセリド、機能性シリコーン、ＷＲ１３００、又はこれらの組み合わせからなる群から選択される処理剤によって疎水性になるように処理される、請求項１〜９のいずれか一項に記載の吸収性物品。
【請求項１１】
トップシート上の界面活性剤の移動を制限する方法であって、
疎水性コーティング処理剤を含むか又は疎水性溶融添加剤を含む不織布を提供する工程と、
前記疎水性コーティング処理剤又は前記疎水性溶融添加剤で処理された前記トップシートの部分を界面活性剤で処理する工程と、を含む、方法。
【請求項１２】
前記界面活性剤は、Ｃ１２以上の炭素鎖を有するＰＥＧジエステルを含む、請求項１１に記載の方法。
【請求項１３】
前記界面活性剤は、Ｃ１２以上のアルコールエトキシレート又はＰＥＧジエステルを含む、請求項１１又は１２に記載の方法。
【請求項１４】
前記界面活性剤は、少なくとも５個のエチレンオキシド単位、より好ましくは６個のエチレンオキシド基と２０個のエチレンオキシド基との間にあるＰＥＧ基を含む、請求項１１〜１３のいずれか一項に記載の方法。
【請求項１５】
前記界面活性剤は、５０％超のＣ１２以上の鎖長を有するブレンドを含む、請求項１１〜１４のいずれか一項に記載の方法。
【発明の詳細な説明】
【技術分野】
【０００１】
本出願は、月経分泌物を吸収するための生理用ナプキン、おむつ、及び成人失禁に使用される物品などの生理用品を含む吸収性物品に関する。より具体的には、本発明は、界面活性剤の移動に対する改善をもたらすトップシートを含んだ吸収性物品に関する。
【背景技術】
【０００２】
おむつ、トレーニングパンツ、成人用失禁用品、及び生理用品又は生理用パッドなどの使い捨て吸収性物品が知られている。
【０００３】
第一に皮膚の健康上の利益を提供するために、第二に尿などの流体が製品の中へと吸収されることを可能にするために、おむつ吸収性製品のトップシートの身体側表面に対する処理が提案されている。女性用衛生製品のトップシートの身体側表面に対する処置もまた、皮膚の健康上の利益を提供するために提案されており、また同様に、処理の展開は一般に、月経液捕捉の妨害を最小限にするように実施される。処理は、多くの場合、組成物又は分配物のいずれかで均一に適用される。これらの処理の多くは、界面活性剤を使用することを含み、またその使用に依存している。しかしながら、一旦表面上に配置されると、界面活性剤の移動は、所望の領域から生じることが多い。
【発明の概要】
【発明が解決しようとする課題】
【０００４】
したがって、界面活性剤が配置された場所に留まるように界面活性剤の移動が低減され得る手段を見出すことが有益となろう。
【課題を解決するための手段】
【０００５】
液体透過性トップシートを有する吸収性物品であって、当該トップシートは、当該吸収性物品の内部に向かって方向付けられる内側表面と、着用者の皮膚に向かって方向付けられる外側表面と、を有する、吸収性物品が開示される。トップシートの少なくとも一部分は、疎水性になるように処理されている。本吸収性物品は、当該トップシートに接合されたバックシートと、当該トップシートと当該バックシートとの間に配設された吸収性コアと、を更に有する。界面活性剤が、当該トップシートの当該外側表面の少なくとも一部分に適用され、当該トップシートは疎水性に処理されており、親水性界面活性剤は、疎水性に処理された領域に添加される。
【０００６】
トップシート上の界面活性剤の移動を制限する方法が更に開示される。本方法は、疎水性コーティング処理剤を含むか又は疎水性溶融添加剤を含む不織布を提供する工程と、疎水性コーティング処理剤又は疎水性溶融添加剤で処理されたトップシートの部分を界面活性剤で処理する工程と、を含む。
【図面の簡単な説明】
【０００７】
本明細書は、本発明の主題を具体的に指摘して明確に請求する特許請求の範囲をもって結論とするが、本発明は、添付図面と関連させた次の説明によってより容易に理解することができると考えられる。
【図１】生理用ナプキンである本開示の例示的な吸収性物品の平面図である。
【図２】衣類対向表面が観察者に向けられ、平坦に広げられた状態にある、例示的なおむつの平面図である。
【図３】着用者対向表面が観察者に向けられ、平坦に広げられた状態にある、図２の例示的なおむつの平面図である。
【図４】締着位置にある、図２及び図３のおむつの正面斜視図である。
【図５】パンツの正面斜視図である。
【図６】図５のパンツの背面斜視図である。
【図７】衣類対向表面が観察者に向いている状態の、平らに広げられたパンツの平面図である。
【図８】図７の線７−７の周囲で取られた前側ベルト部分の断面図である。
【図９】図７の線８−８の周囲で取られた後側ベルト部分の断面図である。
【図１０Ａ】汚穢を伴うバイコンポーネントトップシート及び汚穢を伴わないバイコンポーネントトップシートのグレースケール画像である。
【図１０Ｂ】汚穢を伴うバイコンポーネントトップシート及び汚穢を伴わないバイコンポーネントトップシートのグレースケール画像である。
【図１０Ｃ】汚穢を伴うバイコンポーネントトップシート及び汚穢を伴わないバイコンポーネントトップシートのグレースケール画像である。
【図１０Ｄ】汚穢を伴うバイコンポーネントトップシート及び汚穢を伴わないバイコンポーネントトップシートのグレースケール画像である。
【図１１Ａ】汚穢を伴うＧＴＳ添加剤付きのバイコンポーネントトップシート及び汚穢を伴わないＧＴＳ添加剤付きのバイコンポーネントトップシートのグレースケール画像である。
【図１１Ｂ】汚穢を伴うＧＴＳ添加剤付きのバイコンポーネントトップシート及び汚穢を伴わないＧＴＳ添加剤付きのバイコンポーネントトップシートのグレースケール画像である。
【図１１Ｃ】汚穢を伴うＧＴＳ添加剤付きのバイコンポーネントトップシート及び汚穢を伴わないＧＴＳ添加剤付きのバイコンポーネントトップシートのグレースケール画像である。
【図１１Ｄ】汚穢を伴うＧＴＳ添加剤付きのバイコンポーネントトップシート及び汚穢を伴わないＧＴＳ添加剤付きのバイコンポーネントトップシートのグレースケール画像である。
【図１２Ａ】汚穢を伴うＷＲ１３００添加剤付きのバイコンポーネントトップシート及び汚穢を伴わないＷＲ１３００添加剤付きのバイコンポーネントトップシートのグレースケール画像である。
【図１２Ｂ】汚穢を伴うＷＲ１３００添加剤付きのバイコンポーネントトップシート及び汚穢を伴わないＷＲ１３００添加剤付きのバイコンポーネントトップシートのグレースケール画像である。
【図１２Ｃ】汚穢を伴うＷＲ１３００添加剤付きのバイコンポーネントトップシート及び汚穢を伴わないＷＲ１３００添加剤付きのバイコンポーネントトップシートのグレースケール画像である。
【図１２Ｄ】汚穢を伴うＷＲ１３００添加剤付きのバイコンポーネントトップシート及び汚穢を伴わないＷＲ１３００添加剤付きのバイコンポーネントトップシートのグレースケール画像である。
【図１３Ａ】汚穢を伴うＡＥＲＯＳＩＬ（登録商標）Ｒ８１２添加剤付きのバイコンポーネントトップシート及び汚穢を伴わないＡＥＲＯＳＩＬ（登録商標）Ｒ８１２添加剤付きのバイコンポーネントトップシートのグレースケール画像である。
【図１３Ｂ】汚穢を伴うＡＥＲＯＳＩＬ（登録商標）Ｒ８１２添加剤付きのバイコンポーネントトップシート及び汚穢を伴わないＡＥＲＯＳＩＬ（登録商標）Ｒ８１２添加剤付きのバイコンポーネントトップシートのグレースケール画像である。
【図１３Ｃ】汚穢を伴うＡＥＲＯＳＩＬ（登録商標）Ｒ８１２添加剤付きのバイコンポーネントトップシート及び汚穢を伴わないＡＥＲＯＳＩＬ（登録商標）Ｒ８１２添加剤付きのバイコンポーネントトップシートのグレースケール画像である。
【図１３Ｄ】汚穢を伴うＡＥＲＯＳＩＬ（登録商標）Ｒ８１２添加剤付きのバイコンポーネントトップシート及び汚穢を伴わないＡＥＲＯＳＩＬ（登録商標）Ｒ８１２添加剤付きのバイコンポーネントトップシートのグレースケール画像である。
【図１４Ａ】汚穢を伴うポリプロピレントップシート及び汚穢を伴わないポリプロピレントップシートのグレースケール画像である。
【図１４Ｂ】汚穢を伴うポリプロピレントップシート及び汚穢を伴わないポリプロピレントップシートのグレースケール画像である。
【図１４Ｃ】汚穢を伴うポリプロピレントップシート及び汚穢を伴わないポリプロピレントップシートのグレースケール画像である。
【図１４Ｄ】汚穢を伴うポリプロピレントップシート及び汚穢を伴わないポリプロピレントップシートのグレースケール画像である。
【図１５Ａ】汚穢を伴うエルカミド添加剤付きのポリプロピレントップシート及び汚穢を伴わないエルカミド添加剤付きのポリプロピレントップシートのグレースケール画像である。
【図１５Ｂ】汚穢を伴うエルカミド添加剤付きのポリプロピレントップシート及び汚穢を伴わないエルカミド添加剤付きのポリプロピレントップシートのグレースケール画像である。
【図１５Ｃ】汚穢を伴うエルカミド添加剤付きのポリプロピレントップシート及び汚穢を伴わないエルカミド添加剤付きのポリプロピレントップシートのグレースケール画像である。
【図１５Ｄ】汚穢を伴うエルカミド添加剤付きのポリプロピレントップシート及び汚穢を伴わないエルカミド添加剤付きのポリプロピレントップシートのグレースケール画像である。
【図１６Ａ】８ビットグレースケールにおけるパターンの画像である。
【図１６Ｂ】二値におけるパターンの画像である。
【図１７Ａ】８ビットグレースケールにおける染色パターンの画像である。
【図１７Ｂ】二値における染色パターンの画像である。
【発明を実施するための形態】
【０００８】
本発明は、繊維上にコーティングされた親水性界面活性剤と疎水性処理剤との両方を含むウェブを含んだトップシートを含む、吸収性物品、特に使い捨て吸収性物品に関する。使い捨て吸収性物品は、失禁用具、及び、タンポン、生理用ナプキン、パンティライナー、陰唇間製品等のような生理用品を含む、乳幼児用おむつ又は女性用衛生物品であってよい。本発明は、生理用ナプキン又はパンティライナーなどの生理用品の一実施形態に関連して以下に開示される。
【０００９】
吸収性物品
図１は、トップシート１１４の外側表面を含む身体接触表面１２０と、トップシート１１４に接合された液体不透過性バックシート１１６と、吸収性コア１１８と、を有する生理用ナプキン又はパンティライナーであり得る吸収性物品１１０を示す。生理用ナプキン１１０は、長手方向軸線１８０、横断方向軸線１９０を有し、また、当該技術分野において知られているような「ウィング」又は「フラップ」（図示せず）、及び／又は第２のトップシート、及び／又は液体捕獲層、及び／又は、吸収性コア１８への流体輸送を促進するように設計された他の層を含めて、ナプキンに一般的に見られる付加的な特徴部を設けられてもよい。同様に、生理用ナプキンのトップシートは、当該技術分野において知られているように、様々な任意の特徴部を有し得る。例えば、トップシート１４は、流体の流れを方向付けるために内部にエンボス加工されたチャネルを有してもよく、流体捕捉を補助するために貫通する開口部を有してもよく、またトップシート上であるいはトップシートを通して視認可能な印刷された印を有してもよく、その視認可能な信号は、トップシート又は下層に印刷され、機能的及び審美的特性のために視認可能となるものである。
【００１０】
図１の生理用品１０は、それに適用された界面活性剤組成物２２を有する。図１の生理用品１０は、平行なストライプをなして適用された界面活性剤組成物２２を有する。界面活性剤は、例えば、ストリップ、ドット、円、又はスプレーコーティングを含めて、任意の不規則的又は秩序的なパターンでトップシートに適用されてもよい。
【００１１】
トップシート
吸収性物品は、着用者の皮膚に対して適合性があり、柔らかな感触であり、刺激がないものなど、任意の既知の又は他の有効なトップシートを含んでもよい。好適なトップシート材料としては、着用者の身体に向かって方向付けられ、身体に接触して、流体がトップシートを通って着用者の皮膚に逆流することなく、身体の排泄物がそれを取って急速に浸透することを可能にする、透水性材料が挙げられる。好適なトップシートは、織布材料及び不織布材料、有孔形成熱可塑性フィルム、有孔プラスチックフィルム、及び交絡繊維有孔フィルムを含む有孔フィルム材料、ハイドロフォーミングされた熱可塑性フィルム、多孔質発泡体、網状発泡体、網状熱可塑性フィルム、熱可塑性スクリム、又はこれらの組み合わせなどの様々な材料から作製され得る。
【００１２】
トップシートとして使用するのに好適な有孔フィルム材料としては、身体滲出物に対して非吸収性及び透過性であり、トップシートを通る流体の逆流を最小にするか又は排除する有孔のプラスチックフィルムが挙げられる。有孔及び非有孔形成フィルムを含む他の好適な形成フィルムの非限定例は、１９７５年１２月３０日にＴｈｏｍｐｓｏｎに発行された米国特許第３，９２９，１３５号、１９８２年４月１３日にＭｕｌｌａｎｅらに発行された米国特許第４，３２４，２４６号、１９８２年８月３日にＲａｄｅｌらに発行された米国特許第４，３４２，３１４号、１９８４年７月３１日にＡｈｒらに発行された米国特許第４，４６３，０４５号、１９９１年４月９日にＢａｉｒｄに発行された米国特許第５，００６，３９４号、１９８６年９月２日にＣｕｒｒｏらに発行された米国特許第４，６０９，５１８号、及び１９８６年１２月１６日にＣｕｒｒｏらに発行された米国特許第４，６２９，６４３号により詳しく記載されている。市販の形成フィルムのトップシートには、Ｐｒｏｃｔｅｒ  ＆  Ｇａｍｂｌｅ  Ｃｏｍｐａｎｙ（オハイオ州シンシナティ）からＤＲＩ−ＷＥＡＶＥという商品名で販売されているトップシート材料が含まれる。
【００１３】
トップシートとして使用するのに好適な織布及び不織布材料の非限定例としては、天然繊維、改質天然繊維、合成繊維、又はそれらの組み合わせから作製された繊維状材料が挙げられる。これらの繊維状材料は、親水性であっても疎水性であってもよいが、トップシートは疎水性であり又は疎水性になることが好ましい。トップシートの任意部分は、親水性成分を含有するトップシートを作製する任意の知られている方法の使用によって、親水性にすることができる。１つのそのような方法は、１９９０年８月２１日にＯｓｂｏｒｎに発行された米国特許第４，９５０，２６４号に記載されているように、不織材／有孔熱可塑性形成フィルムのトップシートの有孔フィルム成分を界面活性剤で処理することを含む。トップシートを界面活性剤で処理するプロセスについて記載している他の好適な方法は、どちらも１９９１年１月２９日にＲｅｉｓｉｎｇらに発行された米国特許第４，９８８，３４４号及び同第４，９８８，３４５号に開示されている。トップシートは、親水性繊維、疎水性繊維、又はこれらの組み合わせを有してよい。
【００１４】
特に好ましいトップシートは、Ｈｅｒｃｕｌｅｓ，Ｉｎｃ．（デラウェア州ウィルミントン）から販売されているＨｅｒｃｕｌｅｓ型１５１ポリプロピレンなど、約１．５のデニールを有するステープル長ポリプロピレン繊維を含む。本明細書で使用するとき、用語「ステープル長の繊維」は、少なくとも約１５．９ｍｍ（０．６２インチ）の長さを有する繊維を指す。
【００１５】
トップシートが不織布ウェブの形態の不織布繊維状材料を含む場合、不織布ウェブは、不織布ウェブを作製する任意の既知の手順により製造されてもよく、この非限定例としては、スパンボンディング、カーディング、ウェットレイド、エアレイド、メルトブローン、ニードルパンチング、機械交絡、熱機械交絡及び水流交絡が挙げられる。好適なメルトブローンプロセスの具体例が、１９７６年８月３１日に発行されたＢｕｎｔｉｎらの米国特許第３，９７８，１８５号に開示されている。不織材は、２０１０年８月３１日に発行された「Ｃｏｍｐｒｅｓｓｉｏｎ  Ｒｅｓｉｓｔａｎｔ  Ｎｏｎｗｏｖｅｎｓ」という名称の米国特許第７，７８５，６９０号に記載されているような耐圧縮性であってもよい。不織材ウェブは、２０１０年１１月２３日に発行された「Ｌｏｏｐｅｄ  Ｎｏｎｗｏｖｅｎ  Ｗｅｂ」という名称の米国特許第７，８３８，０９９号に記載されているように、ループを有することができる。
【００１６】
他の好適な不織材料には、低坪量不織材、即ち坪量が約１８ｇ／ｍ２〜約２５ｇ／ｍ２の不織材が含まれる。適切かつ非限定的な例が、米国特許第５，７９２，４０４号及び同第５，６６５，４５２号に記載されている。
【００１７】
トップシートは、２０１４年５月２０日に発行された「Ａｂｓｏｒｂｅｎｔ  Ａｒｔｉｃｌｅ  Ｈａｖｉｎｇ  ａ  Ｔｕｆｔｅｄ  Ｔｏｐｓｈｅｅｔ」という名称の米国特許第８，７２８，０４９号、２００９年６月３０日に発行された「Ｔｕｆｔｅｄ  Ｆｉｂｒｏｕｓ  Ｗｅｂ」という名称の米国特許第７，５５３，５３２号、２００７年２月６日に発行された「Ｔｕｆｔｅｄ  Ｌａｍｉｎａｔｅ  Ｗｅｂ」という名称の米国特許第７，１７２，８０１号、又は２０１３年５月１４日に発行された「Ｃａｐｐｅｄ  Ｔｕｆｔｅｄ  Ｌａｍｉｎａｔｅ  Ｗｅｂ」という名称の米国特許第８，４４０，２８６号に記載されているようにタフトを含み得る。トップシートは、２０１０年１月１９日に発行された「Ｉｎｖｅｒｓｅ  Ｔｅｘｔｕｒｅｄ  Ｗｅｂ」という名称の米国特許第７，６４８，７５２号に記載されているように、逆テクスチャー化ウェブを有することができる。タフトはまた、２００８年８月１２日に発行された「Ｔｕｆｔｅｄ  Ｌａｍｉｎａｔｅ  Ｗｅｂ」という名称の米国特許第７，４１０，６８３号に記載されている。
【００１８】
トップシートは、２０１０年２月２日に発行された「Ｍｅｔｈｏｄ  ｏｆ  Ｍａｋｉｎｇ  ａ  Ｐｏｌｙｍｅｒｉｃ  Ｗｅｂ  Ｅｘｈｉｂｉｔｉｎｇ  Ａ  Ｓｏｆｔ  ａｎｄ  Ｓｉｌｋｙ  Ｔａｃｔｉｌｅ  Ｉｍｐｒｅｓｓｉｏｎ」という名称の米国特許第７，６５５，１７６号、又は２００８年７月２２日に発行された「Ｐｏｌｙｍｅｒｉｃ  Ｗｅｂ  Ｅｘｈｉｂｉｔｉｎｇ  Ａ  Ｓｏｆｔ  Ａｎｄ  Ｓｉｌｋｙ  Ｔａｃｔｉｌｅ  Ｉｍｐｒｅｓｓｉｏｎ」という名称の米国特許第７，４０２，７２３号に記載されているように、明確な毛髪様フィブリルのパターンを有し得る。
【００１９】
トップシートは、２０１３年１２月２４日に発行された「Ａｂｓｏｒｂｅｎｔ  Ａｒｔｉｃｌｅ」という名称の米国特許第８，６１４，３６５号に記載されているように、１つ以上の構造的に修飾されたゾーンを含み得る。トップシートは、２０１４年４月２２日に発行された「Ｓａｎｉｔａｒｙ  Ｎａｐｋｉｎ  ｆｏｒ  Ｃｌｅａｎ  Ｂｏｄｙ  Ｂｅｎｅｆｉｔ」という名称の米国特許第８，７０４，０３６号に記載されているように、１つ以上の面外変形を有し得る。トップシートは、２０００年２月１５日に発行された「Ｔｏｐｓｈｅｅｔ  Ｆｏｒ  Ａｂｓｏｒｂｅｎｔ  Ａｒｔｉｃｌｅｓ  Ｅｘｈｉｂｉｔｉｎｇ  Ｉｍｐｒｏｖｅｄ  Ｍａｓｋｉｎｇ  Ｐｒｏｐｅｒｔｉｅｓ」という名称の米国特許第６，０２５，５３５号に記載されているように、マスキング組成物を有し得る。
【００２０】
吸収性コア
吸収性コアは、液体（例えば、月経分泌物及び／又は尿）を吸収又は保持することが可能な任意の吸収性手段であってもよい。吸収性コアは、多種多様なサイズ及び形状（例えば、方形、楕円形、砂時計、犬用の骨、非対称形など）で、概してエアフェルトと呼ばれる粉砕された木材パルプなど、生理用ナプキン及び他の吸収性物品で一般に使用される多種多様な液体吸収性材料から製造され得る。その他の適当な吸収性材料の例としては、捲縮セルロース塊、コフォーム（coform）を含むメルトブローポリマー、化学的に堅固化、改質、又は架橋されたセルロース繊維、捲縮ポリエステル又はポリオレフィン繊維などの合成繊維、ピートモス、ティッシュラップ及びティッシュラミネートを含む薄織物、吸収性発泡体、吸収性スポンジ、超吸収性ポリマー、吸収性ゲル化材料、又は任意の同等の材料若しくは材料の組み合わせ、又はこれらの混合物が挙げられる。吸収性コアは、２つ以上の層を有してもよく、各層は、１つ以上の特性又は組成において、別の層と同一であっても異質であってもよい。特に好ましい吸収性コアは、５０パーセント未満の合成繊維を有する熱接合されたエアレイド材料から作られる。後述するようにコア及びトップシートを接合するために共に融合するのが容易であるため、合成繊維が好ましい。特に好ましい合成繊維は、ポリエチレンシース及びポリプロピレンの中心を有する２成分材料である。
【００２１】
また吸収性コアの構成及び構造は変更されてもよい（例えば、吸収性コアは、可変のキャリパーゾーン（例えば、中心でより厚くなるようなプロファイル）、親水性の勾配、高吸収性の勾配、若しくはより低密度及びより低平均坪量の捕捉ゾーンを有してもよく、あるいは１つ以上の層又は構造を含んでもよい）。しかし、吸収性コアの総吸収能力は、設計負荷、及び生理用ナプキンの意図される用途に適合したものでなければならない。更に、吸収性コアのサイズ及び吸収能力は、失禁用パッド、パンティライナー、通常の生理用ナプキン、又は夜用の生理用ナプキンなどの異なる用途に対応するように変更されてもよい。
【００２２】
流体吸収性材料は、使い捨て吸収性物品で一般に使用される様々な材料のいずれかから構築することができる。好適な吸収性材料の例には、全てＨｅｒｒｏｎらの１９９３年３月２日に発行された米国特許第５，１９０，５６３号、１９９３年２月２日に発行された同第５，１８３，７０７号、及び１９９２年８月１１日に発行された同第５，１３７，５３７号に開示されているクレープセルロースワッディング、綿毛、及びクエン酸架橋セルロースパルプ、１９８６年３月２５日に発行されたＳａｗｙｅｒの米国特許第４，５７８，４１４号に開示されている合成繊維、吸収性発泡体、吸収性スポンジ、高吸収性複合物、高吸収性発泡体、並びに高吸収性ポリマーが挙げられる。好ましい流体吸収性材料は、一般に吸収性フラフと呼ばれる粉砕及びエアレイド木材パルプ繊維である。概して、密度が約０．０５ｇ〜約０．１７５ｇ／ｃｍ３の吸収性フラフが許容可能である。
【００２３】
吸収性コア構造体は、２００８年１２月２日に出願された米国特許第８，１２４，８２７号（Ｔａｍｂｕｒｒｏ）、２０１０年９月９日に公開された米国特許出願第１２／７１８，２４４号、２０１０年１０月１４日に公開された米国特許出願第１２／７５４，９３５号、又は２０１４年３月１８日に発行された米国特許第８，６７４，１６９号に記載されているような基材及び超吸収性ポリマー層を含んでもよい。
【００２４】
バックシート
バックシートは、その衣類の表面へと吸収性コアを通過し得る任意の吸収された体液に対するバリアとして作用し、その結果、下着又は他の衣類を汚す危険性を低減する。更に、バックシートのバリア性は、着用者が所望する場合、陰唇間吸収性物品を手で取り外すことを可能にし、手が汚れる危険性を低減する。好ましい材料は、柔らかく滑らかで柔軟性のある、液体及び蒸気を通す材料であり、快適さのために柔らかさ及び共形性を提供し、低雑音であり、したがって動きによって望ましくない音が生じない。
【００２５】
バックシートは、１９９９年３月２３日に発行された米国特許第５，８８５，２６５号（Ｏｓｂｏｒｎ，ＩＩＩ．）に記載されているように、一時湿潤強度樹脂を組み込んだ湿式繊維集合体を含み得る。バックシートは、接着剤材料が上に広がるのを妨げることなく、バックシートを体液に対して遮水性にする耐水樹脂状材料で更にコーティングされてもよい。
【００２６】
別の好適なバックシート材料は、厚さ約０．０１２ｍｍ（０．５ミル）〜約０．０５１ｍｍ（２．０ミル）のポリエチレンフィルムである。より衣類のような外観を提供するために、バックシートにエンボス加工及び／又は艶消し仕上げを施すことができる。更に、体液がバックシートを通過することを防ぎながらも、バックシートは、蒸気を吸収性コア４２から逃がすのを可能にし得る（即ち、バックシートは通気性である）。好ましい微孔性ポリエチレンフィルムは、米国バージニア州のＴｒｅｄｅｇａｒ  Ｃｏｒｐｏｒａｔｉｏｎからコード番号ＸＢＦ−１  １２Ｗで入手可能である。
【００２７】
本明細書で使用する好適な通気性バックシートは、当技術分野で知られている全ての通気性のあるバックシートを含む。原則的に、２つのタイプの通気性バックシートがあり、通気性及び遮水性のある単層の通気性バックシートと、組み合わせると通気性と遮水性の両方を提供する少なくとも２つの層を有するバックシートとがある。本明細書で使用する好適な単層の通気性バックシートには、例えば英国特許第Ａ２１８４３８９号、同第Ａ２１８４３９０号、同第Ａ２１８４３９１号、米国特許第４，５９１，５２３号、同第３，９８９，８６７号、同第３，１５６，２４２号、及び国際公開第９７／２４０９７号に記載されているものが含まれる。
【００２８】
バックシートは、２００２年１０月８日に発行された米国特許第６，４６２，２５１号（Ｃｉｍｉｎｉ）に記載されているように、２つの層、即ち気体透過性の有孔形成フィルム層を含む第１の層と、通気性有孔形成フィルム層を含む第２の層とを有し得る。本明細書で使用するのに好適な二層又は多層通気性バックシートとしては、米国特許第３，８８１，４８９号、同第４，３４１，２１６号、同第４，７１３，０６８号、同第４，８１８，６００、欧州特許第２０３８２１号、同第７１０４７１号、同第７１０４７２号、及び同第７９３９５２号に例示されるものが挙げられる。
【００２９】
バックシートは、２００３年９月２３日に発行された米国特許第６，６２３，４６４号（Ｂｅｗｉｃｋ−Ｓｏｎｎｔａｇ）又は２００３年１２月１６日に発行された米国特許第６，６６４，４３９号（Ａｒｎｄｔ）に記載されるように、蒸気透過性であり得る。バックシートは、当該技術分野において既知の任意の蒸気透過性材料から形成することができる。バックシートは、微孔質フィルム、有孔形成フィルム、又は当該技術分野において既知のように、蒸気透過性であるか若しくは蒸気透過性にされる他のポリマーフィルムであり得る。
【００３０】
バックシートは、典型的には、吸収性コアの外向き面に隣接して位置決めされてよく、また当技術分野で知られている任意の好適な取り付けデバイスによってこの面に接合され得る。例えば、バックシートは、接着剤の均一な連続層、接着剤のパターン層、又は接着剤の別個の線、螺旋、若しくは点の配列によって、吸収性コアに固着されてもよい。
【００３１】
吸収性物品はまた、限定されるものではないが、再閉鎖可能な締結システム、ローション、捕捉層、分配層、湿潤度インジケータ、センサ、弾性化ウエストバンド、及び他の類似の追加の弾性要素など、ベルトなど、ウエストキャップ特徴、閉じ込め及び審美的特徴、並びにこれらの組み合わせを含む、当技術分野で知られている他の好適な特徴を含むことができる。
【００３２】
おむつ／パンツ
テープ式おむつ１０の形態で示されている本開示による例示的な吸収性物品が図２〜図４に示されている。図２は、衣類対向表面２が平坦に広げられた状態で観察者に向けられている、例示的なおむつの平面図である。図６は、着用者対向表面４が平らに広げられた状態で観察者に向けられている、図２の例示的なおむつの平面図である。図４は、締着位置にある、図５及び図６のおむつの正面斜視図である。本開示は、例えば、成人用失禁製品、パンツ、又は生理用ナプキン及び吸収パッドなどの他の吸収性物品などの、多種多様なおむつを作製するのに使用され得るため、図２〜図４のおむつは、例示目的のみで示されている。
【００３３】
吸収性物品１０は、前側腰部領域１２と、股部領域１４と、後側腰部領域１６と、を含み得る。股部領域１４は、前側腰部領域１２と後側腰部領域１６との中間に延在し得る。吸収性物品１０は、前側端縁部１８と、前側端縁部１８の反対側の後側端縁部２０と、第１の側縁部２２と、第１の側縁部２２の反対側の第２の側縁部２４とを含み得る。
【００３４】
吸収性物品１０は、液体透過性トップシート２６と、液体不透過性バックシート２８と、トップシート２６とバックシート２８との中間に少なくとも部分的に配置された吸収性コア３０と、を含み得る。吸収性物品１０はまた、一対以上のバリアレッグカフ３２、一対以上の脚部弾性体３４、１つ以上の弾性ウエストバンド３６、及び／又は１つ以上の捕捉材料３８を含み得る。捕捉材料（複数可）３８は、トップシート２６と吸収性コア３０との中間に配置することができる。外側カバー材料４０が、バックシート２８の衣類対側を被覆してもよい。吸収性物品１０は、前側腰部領域１２内のランディングゾーンエリア又はランディングゾーン材料４４に取り付けられ得る後側耳部４２を後側腰部領域１６内に含んでもよい。後側耳部４２は締結具４６を含んでもよく、また、吸収性物品１０の後側腰部領域１６から延在し、吸収性物品１０の前側腰部領域１２の衣類対向部分のランディングゾーンエリア又はランディングゾーン材料４４に、あるいはその逆に取り付けられてもよい。吸収性物品１０はまた、前側腰部領域１２に前側耳部４７を有することができる。吸収性物品１０は、横方向軸４８と、長手方向軸５０と、を有し得る。
【００３５】
他の例では、吸収性物品は、恒久的又は再締結可能なサイドシームを有するパンツの形態であってもよい。図５〜図７を参照すると、パンツ１０の形態をなす例示的な吸収性物品が示されている。図５は、パンツ１０の正面斜視図である。図６は、パンツ１０の背面斜視図である。図７は、衣類対向表面が観察者に向いている状態の、平らに広げられたパンツの平面図である。パンツ１０は、前側腰部領域１２と、股部領域１４と、後側腰部領域１６と、を有し得る。パンツ１０は、トップシート２６と、バックシート２８と、トップシート２６とバックシート２８との中間に配置された吸収性コア３０と、任意選択の捕捉材料３８と、を含むシャーシ５２（中心シャーシ又は中心パネルと呼ばれることもある）を有し得る。パンツ１０は、前側腰部領域１２の前側ベルト部分５４と、後側腰部領域１６の後側ベルト部分５６と、を含み得る。シャーシ５２は、ベルト部分５４、５６の着用者対向表面に接合されても、ベルト部分５４、５６の衣類対向表面に接合されてもよい。前側ベルト部分５４の側部領域は、２つのシーム５８を形成するように後側ベルト部分５６の側部領域に接合されてもよい。シーム５８は、例えば、突合せシーム又は重なり合いシームなど、当業者に既知の任意の好適なシームであってよい。シーム５８が恒久的に形成されるか又は再締結可能に閉じられると、パンツ１０は、２つの脚部開口部６０及び腰部開口外周部６２を有する。シーム５８は、例えば、接着剤又は結合を使用して恒久的に接合されてもよく、あるいは、例えば、フックアンドループ式締結具を使用して再締結可能に閉じられてもよい。前側ベルト部分５４は、第１の不織布材料６４と、第２の不織布材料６６とを含んでもよい。複数の弾性要素６８（例えば、弾性ストランド、弾性ストリップ）が第１の不織布材料６４と第２の不織布材料６６との中間に位置付けられてもよい。場合によっては、弾性フィルムが、弾性要素６８の代わりにあるいはそれに加えて使用されてもよい。後側ベルト部分５６は、第１の不織布材料６４と、第２の不織布材料６６とを含んでもよい。複数の弾性要素６８（例えば、弾性ストランド、弾性ストリップ）が第１の不織布材料６４と第２の不織布材料６６との中間に位置付けられてもよい。場合によっては、弾性フィルムが、弾性要素６８の代わりにあるいはそれに加えて使用されてもよい。弾性要素６８又はフィルムは、コア３０上の弾性歪みを低減するために弛緩（切断されることを含む）されてもよく、あるいは代替的に、コア３０全体にわたって連続的に延在してもよい。図２〜図４に関連して上述されたものと同一の参照番号を有する図５〜図７の要素は、同一の要素（例えば、吸収性コア３０）であってもよい。図８は、図７の線７−７の周囲で取られた前側ベルト部分５４の断面図である。図９は、図７の線８−８の周囲で取られた後側ベルト部分５６の断面図である。弾性要素６８は、ベルト部分のいずれかにおいて、それらの間に均一又は可変の間隔を有してよい。弾性要素はまた、同じ量又は異なる量の予歪みを受けていてよい。第１及び／又は第２のベルト５４及び５６は、シャーシ５２がベルト５４、５６と重なり合う１つ以上の弾性要素非存在ゾーン７０を有してもよい。他の例では、弾性要素６８のうちの少なくともいくつかは、シャーシ５２全体にわたって延在してもよい。
【００３６】
本開示の吸収性物品はパッケージに入れてもよい。パッケージは、高分子フィルム及び／又はその他の材料を含み得る。吸収性物品の特性に関する図形及び／又は目印は、パッケージの外側部分に形成され、印刷され、位置付けられ、及び／又は配置されてよい。各パッケージは、複数の吸収性物品を含んでもよい。吸収性物品は、パッケージのサイズを小さくする一方で１パッケージ当たり十分な量の吸収性物品を提供するように圧縮下で包装することができる。吸収性物品を圧縮下で包装することによって、介護者はパッケージを容易に扱い、保管することができると共に、パッケージのサイズによる流通コストの削減を製造業者にもたらすこともできる。
【００３７】
界面活性剤
トップシートは、界面活性剤を有してもよい。界面活性剤は、単一の界面活性剤であっても、界面活性剤の混合物であってもよい。界面活性剤は、高分子界面活性剤であっても、非高分子界面活性剤であってもよい。界面活性剤は、湿潤剤として利用されてもよい。界面活性剤は、存在する場合、流体がトップシートを通過するのに有効な量で利用され得る。
【００３８】
当該組成物は１つ以上の界面活性剤を含んでもよい。界面活性剤又は界面活性剤の組み合わせは穏やかなものであってもよく、これは、界面活性剤が皮膚を過度に乾燥させたり若しくは痛めたり、傷つけたり、あるいは刺激したりしないことを意味する。
【００３９】
多種多様な界面活性剤が本明細書において有用であり、アニオン性界面活性剤、非イオン性界面活性剤、カチオン性界面活性剤、両性界面活性剤、双極性界面活性剤、及びこれらの混合物からなる群から選択されるものが挙げられる。
【００４０】
多種多様なアニオン性界面活性剤が本明細書において有用となり得る。アニオン性界面活性剤の非限定的な例としては、サルコシネート、サルフェート、スルホネート、イセチオネート、タウレート、ホスフェート、ラクチレート、グルタメート、及びこれらの混合物からなる群から選択されるものが挙げられる。イセチオネートの中でも、アルコイルイセチオネートが有用となり得、またサルフェートの中でも、アルキル及びアルキルエーテルサルフェートが有用となり得る。本明細書において有用な他のアニオン性物質としては、典型的には約８個〜約２４個の炭素原子を有する、脂肪酸の石鹸（すなわち、アルカリ金属又はアミン塩、例えば、ナトリウム、カリウム、又はトリエタノールアミン塩）が挙げられる。
【００４１】
本明細書において有用な非イオン性界面活性剤としては、限定するものではないが、アルキルグルコシド、アルキルポリグルコシド、ポリヒドロキシ脂肪酸アミド、アルコキシル化脂肪酸エステル、アルコキシル化脂肪アルコールエーテル、ソルビタンモノステアレートのようなソルビトールエステル、ポリソルベート６０のようなアルコキシル化ソルビトールエステル、ステアレス−２及びステアレス−２０のようなエトキシル化脂肪アルコール、スクロースエステル、アミンオキシド、及びこれらの混合物が挙げられる。
【００４２】
本明細書における組成物での利用に好適な両性又は双性イオン性の界面活性剤としては、ヘアケア又は他のパーソナルケアクレンジングにおける利用で知られているものが挙げられる。本組成物における利用に好適な両性界面活性剤は、当該技術分野において周知であり、脂肪族第二級及び第三級アミンの誘導体として広く説明されている界面活性剤が挙げられ、その脂肪族基は、直鎖又は分岐鎖であることができ、脂肪族置換基のうちの１つは、約８個〜約１８個の炭素原子を有し、１つは、カルボキシ、スルホネート、サルフェート、ホスフェート、又はホスホネートなどのアニオン性水可溶化基を含む。有用な両性界面活性剤としては、限定するものではないが、ココアンホアセテート、ココアンホジアセテート、ラウロアンホアセテート、ラウロアンホジアセテート、及びこれらの混合物からなる群が挙げられる。
【００４３】
本明細書における利用に適した双性イオン性界面活性剤としては、脂肪族第四級アンモニウム、ホスホニウム、及びスルホニウム化合物の誘導体として広義に説明される界面活性剤が挙げられ、ここで脂肪族ラジカルは直鎖又は分枝鎖であり得、脂肪族置換基のうちの１つは、約８個〜約１８個の炭素原子を有し、１つは、アニオン性基、例えばカルボキシ、スルホネート、サルフェート、ホスフェート又はホスホネートを含有する。有用な双性イオン性でかつ洗浄性の界面活性剤は、ベタイン、アンホアセテート、及びスルホベタイン、例えば、ココアミドプロピルベタイン、ラウリルアンホ酢酸ナトリウム、及びココアミドプロピルヒドロキシスルタインである。
【００４４】
本明細書において想到される他の界面活性剤には、約７以上、より望ましくは約１０以上の親水性／親油性バランス数（ＨＬＢ）を有し、更により望ましくは約１４以上のＨＬＢを有する界面活性剤又は界面活性剤の組み合わせが含まれ得る。測定されたＨＬＢを一般的に有さない親水性剤もまた用いられ得る。
【００４５】
親水性組成物のいくつかの好適な例としては、エステル、アミド、カルボン酸、アルコール、エーテル−ポリオキシエチレン、ポリオキシプロピレン、ソルビタン、エトキシル化脂肪アルコール、アルキルフェノールポリエトキシレート、レシチン、グリセロールエステル及びそれらのエトキシレートを含む非イオン性界面活性剤、並びに糖ベースの界面活性剤（ポリソルベート、ポリグリコシド）が挙げられる。他の好適な非イオン性界面活性剤としては、脂肪酸エステルエトキシレート、脂肪酸エーテルエトキシレート、及びエトキシル化糖誘導体（例えば、エトキシル化脂肪酸ポリエステル、エトキシル化脂肪酸ソルビタンエステルなど）など、並びに上記の少なくとも１つを含む組み合わせを含むエトキシレートが挙げられる。他の好適な例としては、スルホン酸塩、硫酸塩、リン酸塩、脂肪酸のアルカリ金属塩、硫酸の脂肪アルコールモノエステル、直鎖アルキルベンゼンスルホネート、アルキルジフェニルオキシドスルホネート、リグニンスルホネート、オレフィンスルホネート、スルホサクシネート、及び脂肪アルコールの硫酸化エトキシレートを含むアニオン性界面活性剤が挙げられる。他の好適な例としては、アミン（一級、二級、三級）、四級アンモニウム、ピリジニウム、四級アンモニウム塩−ＱＵＡＴＳ、アルキル化ピリジニウム塩、アルキル一級、二級、三級アミン、及びアルカノールアミドを含むカチオン性界面活性剤が挙げられる。他の好適な例としては、アミノ酸及び誘導体、アミンオキシド、ベタイン、並びにアルキルアミンオキシドを含む双性界面活性剤が挙げられる。他の好適な例としては、ポリアミン、カルボン酸ポリマー及びコポリマー、ＥＯ／ＰＯブロックコポリマー、エチレンオキシドポリマー及びコポリマー、並びにポリビニルピロリドンを含む高分子界面活性剤が挙げられる。他の好適な例としては、親水性物質を有するジメチルシロキサンポリマーを含むシリコーン界面活性剤が挙げられる。更に他の好適な例としては、過カルボン酸塩及びフッ素系界面活性剤が挙げられる。
【００４６】
測定されたＨＬＢを一般的には有さない親水性剤もまた、用いられ得る。このような親水性剤としては、グリコール及びポリグリコールなどのジオールを挙げることができるが、これらに限定されない。好適な非イオン性界面活性剤としては、限定を意図するものではないが、Ｃ２〜８のジオール及びポリグリコールなどが挙げられる。一般に、ジオールは、グリコール（Ｃ２及びＣ３ジオール）並びにポリグリコールであってもよい。用語「ポリグリコール」とは、２つ以上のグリコール分子の脱水によって形成されたジヒドロキシエーテルを指す。有用なポリグリコールの代表的な非限定的なリストとしては、エチレングリコール、プロピレングリコール、ポリエチレングリコール、ポリプロピレングリコール、メトキシポリエチレングリコール、ポリブチレングリコール、ブチレンオキシドとエチレンオキシドのブロックコポリマーなど、並びに上記の少なくとも１つを含む組み合わせが挙げられる。
【００４７】
更に、好適な親水性組成物は、商業的に入手可能である合成界面活性剤溶液の典型的な独自のブレンドである仕上げ処理材を含む。例としては、とりわけ、商標名Ｓｉｌａｓｔｏｌ（例えば、Ｓｉｌａｓｔｏｌ  ＰＨＰ  ２６、Ｓｉｌａｓｔｏｌ  ＰＨＰ  ９０、Ｓｉｌａｓｔｏｌ  ＰＳＴ−Ｎ、Ｓｉｌａｓｔｏｌ  ＰＨＰ  ２０７、Ｓｉｌａｓｔｏｌ  ＰＨＰ  ２８及びＳｉｌａｓｔｏｌ  ＰＨＰ  ８）でＳｃｈｉｌｌ  ＆  Ｓｅｉｌａｃｈｅｒ  ＡＧからの材料、商標名ＳＴＡＮＴＥＸ（例えば、Ｓｔａｎｔｅｘ  Ｓ  ６３２７、Ｓｔａｎｔｅｘ  Ｓ  ６０８７−４、及びＳｔａｎｔｅｘ  ＰＰ  ６０２）でＰｕｌｃｒａ  Ｃｈｅｍｉｃａｌｓからの材料が挙げられる。
【００４８】
トップシートの特性
トップシートは、疎水性を有するかあるいは疎水性を付与されるように作製されてもよい。驚くべきことに、トップシートの親水性／疎水性特性を変化させることによって、乾燥状態と湿潤状態の両方に使用される界面活性剤の移動が低減され得ることが判明した。親水性／疎水性は、例えばＧＴＳなどの疎水性溶融添加剤を使用して改質されてもよく、あるいは表面処理剤を使用して改質されてもよい。別の言い方をすれば、驚くべきことに、トップシートの疎水性を増大させることにより、疎水性の増大した領域上に配置された親水性界面活性剤の移動が低減され得ることが判明した。疎水性増大領域は、トップシートの疎水性レベルを増大させるために、例えば溶融添加剤などの表面処理剤で処理されてもよい。処理剤は、トップシートの表面上に均一に配置されてもよく、あるいはトップシートの各部分に限定されてもよい。処理剤は、トップシートの製造前にトップシートの繊維に組み込まれてもよい。理論に束縛されるものではないが、界面活性剤の移動の低減は、疎水性処理剤と界面活性剤の疎水性尾部との間の相互作用によって引き起こされ、それによって界面活性剤が定位置に固定されると考えられる。
【００４９】
表面処理剤
トップシートは、処理剤の使用によって疎水性にされてもよい。好適な処理剤としては、約４個〜約３２個の炭素原子を有する石油系炭化水素、約１２個〜約２４個の炭素原子を有する脂肪アルコール、ポリシロキサン化合物、脂肪酸エステル、アルキルエトキシレート、脂肪鎖中に約１２個〜約２８個の炭素原子を有する脂肪アルコールエーテル、ラノリン及びその誘導体、アセトグリセリド及びＣ１２〜Ｃ２８脂肪酸のエトキシル化グリセリドを含むグリセリド誘導体、並びにこれらの混合物が挙げられる。それに代わってあるいはそれに加えて、処理剤はまた、ポリシロキサン化合物から構成されてもよく、非限定的な例としては、ジメチコン（１〜１００，０００，０００センチストークス）、シクロメチコン、アルキル化シリコーン（ヘアコンディショニング剤）、アミノ官能性シリコーン、シリコーンゴム、シリコーンゲル、シリコーンワックス、シリコーンのコポリマー（ビニルジメチコンポリマー、フェニルビニルジメチコンポリマー、アルキル化シリコーンポリマー、ポリエチレンオキシド／シリコーンコポリマー、ポリエチレンオキシド／アルキルシリコーンコポリマー）、及びこれらの混合物が挙げられる。
【００５０】
約４個〜約３２個の炭素原子を有する好適な石油系炭化水素の非限定例としては、鉱油、ペトロラタム、イソパラフィン、様々な他の分岐鎖炭化水素、及びこれらの組み合わせが挙げられる。鉱油は、「流動パラフィン」としても知られており、通常、約１６個〜約２０個の炭素原子を有する炭化水素のより低粘性の混合物を指す。ペトロラタムはまた、「ミネラルワックス」、「ワセリン」、及び「ミネラルゼリー」としても知られており、通常、約１６個〜約３２個の炭素原子を有する炭化水素のより高粘性の混合物を指す。市販のペトロラタムの例としては、Ｗｉｔｃｏ  Ｃｏｒｐｏｒａｔｉｏｎ（コネチカット州グレニッチ（Greenwich））から入手される、ＰＲＯＴＯＰＥＴ  １Ｓとして販売されているペトロラタムが挙げられる。
【００５１】
約１２個〜約２４個の炭素原子を有する好適な脂肪アルコールの非限定例としては、約１１０℃未満、好ましくは約４５℃〜約１１０℃の融点を有する、飽和非置換の一価アルコール又はこれらの組み合わせが挙げられる。脂肪アルコールの具体例としては、セチルアルコール、ステアリルアルコール、セテアリルアルコール、ベヘニルアルコール、アラキジルアルコール、リグノセリル（lignocaryl）アルコール、及びこれらの組み合わせが挙げられるが、これらに限定されない。市販のセテアリルアルコールの例はＳＴＥＮＬＯ  １８２２であり、ベヘニルアルコールはＬＡＮＥＴＴＥ  ２２であり、共にＣｏｇｎｉｓ  Ｃｏｒｐｏｒａｔｉｏｎ（オハイオ州シンシナティ）より入手可能である。
【００５２】
好適な脂肪酸エステルの非限定例としては、Ｃ１２〜Ｃ２８脂肪酸と短鎖（Ｃ１〜Ｃ８、好ましくはＣ１〜Ｃ３）一価アルコールとの混合物由来の、好ましくはＣ８〜Ｃ３０飽和脂肪酸と短鎖（Ｃ１〜Ｃ８、好ましくはＣ１〜Ｃ３）一価アルコールとの混合物由来の脂肪酸エステルが挙げられる。このようなエステルの代表的な例としては、メチルパルミテート、メチルステアレート、イソプロピルラウレート、イソプロピルミリステート、イソプロピルパルミテート、エチルへキシルパルミテート、及びこれらの混合物が挙げられる。トリグリセリドの好適な例としては、グリセロールトリベヘネート（Ｃ２２）、グリセロールトリステアレート（Ｃ１８）、グリセロールトリパルミテート（Ｃ１６）、及びグリセロールトリミリステート（Ｃ１４）、並びにこれらの混合物が挙げられる。トリグリセリド及びジグリセリドの場合、アルキル鎖は、同じ長さでも異なる長さでもよい。例として、１個のアルキルＣ１８鎖と２個のＣ１６アルキル鎖、又は、２個のＣ１８アルキル鎖と１個のＣ１６鎖を有するトリグリセリドが挙げられる。好ましいトリグリセリドは、Ｃ１４〜Ｃ２２脂肪酸に由来するアルキル鎖を含む。好適な脂肪酸エステルはまた、より長鎖の脂肪アルコール（Ｃ８〜Ｃ２８、好ましくはＣ８〜Ｃ１６）、及び乳酸のような、より短鎖の脂肪酸のエステル由来であることができ、その具体例としては、ラウリルラクテート及びセチルラクテートが挙げられる。
【００５３】
好適なアルキルエトキシレートの非限定例としては、約２〜約３０の平均エトキシル化度を有するＣ８〜Ｃ２２脂肪アルコールエトキシレートが挙げられる。好適な炭化水素、ポリシロキサン化合物、及び脂肪アルコールエトキシレートを含むキャリア成分のより詳細な説明は、１９９７年７月１日にＲｏｅらに発行された米国特許第５，６４３，５８８号、名称「Ｄｉａｐｅｒ  Ｈａｖｉｎｇ  Ａ  Ｌｏｔｉｏｎｅｄ  Ｔｏｐｓｈｅｅｔ」に見出され得る。
【００５４】
疎水性組成物のいくつかの好適な例としては、フッ素化又は過フッ素化ポリマー；シリコーン；フルオロケミカル；ジルコニウム化合物；油；ラテックス；ワックス；架橋性樹脂、及びそのブレンド；フルオロケミカルウレタン、尿素、エステル、エーテル、アルコール、エポキシド、アロファネート、アミド、カルボジイミド、グア二ジン、オキサゾリジノン、イソシアヌレート、及びビウレット；ヒュームドシリカ、疎水性チタニア、酸化亜鉛、ナノクレイ、及びこれらの混合物から選択されるナノ構造粒子；油脂、グリセリン誘導体；疎水性シリコーン又はその好適な組み合わせが挙げられる。
【００５５】
好適なシリコーンポリマーの例は、シリコーンＭＱ樹脂、ポリジメチルシロキサン、架橋シリコーン、シリコーン液体エラストマー、及びこれらの組み合わせからなる群から選択される。ポリジメチルシロキサンは、とりわけ、ビニル末端ポリジメチルシロキサン、メチル水素ジメチルシロキサン、ヒドロキシル末端ポリジメチルシロキサン、オルガノ変性ポリジメチルシロキサン、及びこれらの組み合わせからなる群から選択され得る。
【００５６】
本開示に好適な他の疎水性材料は、当該技術分野において明確に定義され、かつ文書化されている。例えば、米国特許出願公開第２００２／００６４６３９号には、シリコーン、フルオロケミカル、ジルコニウム化合物、油、ラテックス、ワックス、架橋性樹脂、及びこれらのブレンドからなる群から選択される疎水性組成物が記載されている。米国特許第７，４０７，８９９号で記載される代表的な撥水性フルオロケミカル化合物としては、フルオロケミカルウレタン、尿素、エステル、エーテル、アルコール、エポキシド、アロファネート、アミド、アミン（及びそれらの塩）、酸（及びそれらの塩）、カルボジイミド、グア二ジン、オキサゾリジノン、イソシアヌレート、及びビウレットが挙げられる。米国特許第６，５４８，７３２号には、カカオ脂、カカオバター、ココアバター、ペトロラタム、ミネラルゼリー、白色鉱油、ジメチコン、酸化亜鉛調製物、チャイニーズホワイト、亜鉛白、ミツロウ、ラノリン、ホホバ油、及びこれらの組み合わせからなる群からの疎水性物質が記載されている。加えて、２０１１年７月２８日に出願された米国特許出願公開第１３／１９３，０６５号には、フッ素化ポリマー、過フッ素化ポリマー、及びこれらの混合物から選択される疎水性成分と、ヒュームドシリカ、疎水性チタニア、酸化亜鉛、ナノ粘土、及びこれらの混合物から選択されるナノ構造粒子と、全体として水性の非有機溶媒のための水と、を含む組成物で処理されると、超疎水性を示す基材が記載されている。２０１１年７月２８日に出願された米国特許出願第１３／１９３，０６５号におけるこのような組成物及び表面の例は、本発明の不織トップシートとして使用され得る超疎水性処理表面を例示している。
【００５７】
加えて、ワックス及び他の疎水性材料が用いられてもよく、それには、石油系エモリエント；脂肪酸エステル；ポリオールポリエステル；脂肪アルコールエーテル；ステロール及びステロールエステル、並びにこれらの誘導体；トリグリセリド；グリセリルエステル；セラミド；並びにこれらの混合物が挙げられる。脂肪酸は、植物原料、動物原料、及び／又は合成原料に由来してもよい。いくつかの脂肪酸は、Ｃ８脂肪酸〜Ｃ３０脂肪酸、又はＣ１２脂肪酸〜Ｃ２２脂肪酸の範囲に及び得る。別の実施形態において、特に脂肪酸前駆体の水素化の結果として飽和が生じるとき、実質的に飽和脂肪酸が使用され得る。脂肪酸誘導体の例としては、脂肪アルコール、脂肪酸エステル、及び脂肪酸アミドが挙げられる。
【００５８】
好適な脂肪酸アミドとしては、Ｃ１２〜Ｃ２８脂肪酸（飽和又は不飽和）及び一級又はニ級アミンの混合物由来のものが挙げられる。一級脂肪酸アミドの好適な例としては、脂肪酸及びアンモニア由来のものが挙げられる。
【００５９】
他の好適な例として、エルカミド、オレアミド、及びベヘンアミド（behanamide）が挙げられる。
【００６０】
他の好適な疎水性活性物質としては、天然油若しくは脂肪などの油又は脂肪、又は、特に植物若しくは動物起源の天然油若しくは脂肪誘導体が挙げられる。好適なキャリアは、ワックスを更に包含する。本明細書で使用するとき、用語「ワックス」は、ワックス状の構成性（constituency）を有し、周囲温度を超える、特に２５℃を超える融点又は範囲を有する油溶性材料を指す。ワックスは、固体から半固体（クリーム状）の稠度を有し、結晶質であることも、結晶質でないこともあり、液化点よりもわずかに高い比較的低い粘度の材料である。ローション組成物に組み込まれ得る好適なワックスとしては、天然若しくは合成であり得る動物、植物、鉱物、又はシリコーン系ワックス、及びこれらの混合物が挙げられる。
【００６１】
溶融添加剤
疎水性の溶融添加剤の例としては、脂肪酸及び脂肪酸誘導体が挙げられる。脂肪酸は、植物原料、動物原料、及び／又は合成原料に由来してもよい。いくつかの脂肪酸は、Ｃ８脂肪酸〜Ｃ３０脂肪酸、又はＣ１２脂肪酸〜Ｃ２２脂肪酸の範囲に及び得る。他の形態では、特に、脂肪酸前駆体の水素化の結果として飽和が生じる場合、実質的に飽和の脂肪酸が使用され得る。脂肪酸誘導体の例としては、脂肪アルコール、脂肪酸エステル、及び脂肪酸アミドが挙げられる。
【００６２】
好適な脂肪アルコール（Ｒ−ＯＨ）としては、以下のようなＣ１２〜Ｃ２８脂肪酸に由来するものが挙げられる。
Ｒ−ＯＨ  Ｒ＝Ｃ１２〜Ｃ２８アルキル鎖
【００６３】
好適な脂肪酸エステルとしては、Ｃ１２〜Ｃ２８脂肪酸及び短鎖（Ｃ１〜Ｃ８、好ましくはＣ１〜Ｃ３）一価アルコールの混合物、好ましくはＣ１２〜Ｃ２２飽和脂肪酸及び短鎖（Ｃ１〜Ｃ８、好ましくはＣ１〜Ｃ３）一価アルコールの混合物由来の脂肪酸エステルが挙げられる。疎水性溶融添加剤は、モノ、ジ、及び／又はトリ−脂肪酸エステルの混合物を含んでもよい。例として、骨格鎖としてグリセロールとの脂肪酸エステルが挙げられる。
【００６４】
【化１】
2021527501.tif 000003
【００６５】
このグリセロール由来の脂肪酸エステルは、グリセロールに対して少なくとも１つのアルキル鎖、少なくとも２つ、又は３つの鎖を有し、モノ、ジ又はトリグリセリドを形成する。トリグリセリドの好適な例としては、グリセロールトリベヘネート（Ｃ２２）、グリセロールトリステアレート（Ｃ１８）、グリセロールトリパルミテート（Ｃ１６）、及びグリセロールトリミリステート（Ｃ１４）、並びにこれらの混合物が挙げられる。トリグリセリド及びジグリセリドの場合、アルキル鎖は、同じ長さでも異なる長さでもよい。例として、１個のアルキルＣ１８鎖と２個のＣ１６アルキル鎖、又は、２個のＣ１８アルキル鎖と１個のＣ１６鎖を有するトリグリセリドが挙げられる。好ましいトリグリセリドは、Ｃ１４〜Ｃ２２脂肪酸に由来するアルキル鎖を含む。
【００６６】
好適な脂肪酸アミドとして、Ｃ１２〜Ｃ２８脂肪酸（飽和又は不飽和）及び１級又は２級アミンの混合物由来のものが挙げられる。一級脂肪酸アミドの好適な例としては、脂肪酸及びアンモニア由来のものが挙げられる。
【００６７】
【化２】
2021527501.tif 000004
【００６８】
他の好適な例として、エルカミド、オレアミド、及びベヘンアミド（behanamide）が挙げられる。
【００６９】
他の好適な疎水性溶融添加剤として、疎水性シリコーン、エトキシル化脂肪アルコールが挙げられる。追加の好適な疎水性溶融添加剤は、米国特許出願第１４／８４９６３０号及び同第１４／９３３０２８号に開示されている。溶融添加剤の１つの具体例は、グリセロールトリステアレート（ＧＴＳ）である。本明細書で使用するとき、ＧＴＳは、主にＣ１８及びＣ１６飽和アルキル鎖長を含む、長鎖トリグリセリドの混合物と定義される。
【００７０】
界面活性剤を正確な位置に付着させる１つの目標は、適用されたときに移動しないことである。理論に束縛されるものではないが、驚くべきことに、移動を低減する主要な因子は、界面活性剤が印刷されるウェブの特性であることが判明した。例えば、以下の表に示されるように、界面活性剤と相互作用し得るウェブ上に疎水性化学物質を添加することにより、界面活性剤を不動にすることができる。このことが、種々の疎水性処理剤との組み合わせでＳＴＡＮＴＥＸ  Ｓ  ６３２７界面活性剤を使用して、以下に例示される。サウスカロライナ州ロックヒルのＰｕｌｃｒａ  Ｃｈｅｍｉｃａｌｓ  ＬＬＣ（Ｆａｓｈｉｏｎ  Ｃｈｅｍｉｃａｌｓ  ＧｍｂＨ  ＆  Ｃｏ（Ｇｅｒｅｔｓｒｉｅｄ，Ｇｅｒｍａｎｙ）の系列会社）製のＳＴＡＮＴＥＸ  Ｓ  ６３２７は、脂肪酸エステルのブレンドである。
【００７１】
表に示されるように、界面活性剤の移動は、不織布ウェブ上のコーティングによって影響され得る。例えば、以下に示されるように、バイコンポーネント（ＢＩＣＯ）又はポリプロピレン不織布ウェブのいずれか一方における界面活性剤の移動は、最初に疎水性添加剤又は処理剤をウェブ上に配置することによって影響され得る。バイコンポーネントは、互いに対する空間的関係において２つの別個の部分を有する繊維として定義される。バイコンポーネント繊維などのマルチコンポーネント繊維の異なる成分は、繊維の断面全体にわたって実質的に別個の領域に配列され、繊維の長さに沿って連続的に延在する。
【００７２】
【表１】
2021527501.tif 000005
【００７３】
上記の表１に示されるように、グリセロールトリステアレート（ＧＴＳ）ＭＡ、エルカミドＭＡ、シリカ疎水性修飾粒子（ＡＥＲＯＳＩＬ（登録商標）Ｒ  ８１２）、及び疎水性シリコーン（ＷＲ１３００、Ｗａｃｋｅｒ  Ｃｈｅｍｉｅ  ＡＧにより販売されている機能性シリコーン流体）の使用はそれぞれ、乾燥移動及び湿潤移動の両方に関して、ウェブ上に配置された界面活性剤の移動に影響を及ぼした。乾燥移動とは、界面活性剤がエージングによって塗布スポットから移動することである。湿潤移動とは、流体が界面活性剤の位置を越えた領域へと移動することである。上記のサンプルでは、界面活性剤（ＳＴＡＮＴＥＸ（登録商標）Ｓ  ６３２７）を３ｇｓｍの坪量で５ｍｍ×８０ｍｍのストライプとして印刷した。ウェブを４０℃／相対湿度７５％で１ヶ月間、エージングした。
【００７４】
この文脈において、乾燥移動とは、エージング中の初期位置から界面活性剤が移動することを指す。湿潤移動とは、流体が界面活性剤と接触した後にウェブの疎水性部分をどれだけ湿潤させるかを指す。ある意味では、湿潤移動は、乾燥又は湿潤時の界面活性剤の移動、又は界面活性剤と接触しているときの流体表面張力の低下による流体移動の増加のいずれかに起因し得る。
【００７５】
上の表に示すように、ＧＴＳ及びＷＲ１３００は、Ａｅｒｏｓｉｌ（登録商標）Ｒ  ８１２（Ｅｖｏｎｉｋによって分散されたＡＥＲＯＳＩＬ（登録商標）Ｒ  ８１２  Ｓ）に対して界面活性剤の移動を有意に改善した。理論に束縛されるものではないが、ＡＥＲＯＳＩＬ（登録商標）Ｒ  ８１２疎水性粒子は、繊維に結合することができず、それによってＧＴＳ及びＷＲ１３００と同じ効果を有さないと考えられる。しかしながら、ＢｉＣｏ単独と比較して、ＡＥＲＯＳＩＬ  Ｒ  ８１２処理は、新たな湿潤サンプル及びエージングした湿潤サンプルの両方で湿潤されると移動を低減したことに留意することが重要である。
【００７６】
理論に束縛されるものではないが、少なくともＣ１２〜Ｃ２２の炭化水素のアルカン鎖を有する疎水性材料でトップシートを処理することにより、非イオン性界面活性剤を結合させる方式で非イオン性界面活性剤と相互作用することが可能であることが判明した。これは、非イオン性界面活性剤が、Ｃ１２以上の炭素鎖を有するＰＥＧジエステルを含む場合、非イオン性界面活性剤が、Ｃ１２以上のアルコールエトキシレート若しくはＰＥＧジエステルを含む場合、非イオン性界面活性剤が、例えば、６個のエチレンオキシド基、若しくは１０超のエチレンオキシド基など、少なくとも５個のエチレンオキシド単位であるＰＥＧ基を含む場合、非イオン性界面活性剤が、５０％超のＣ１２以上の鎖長を有するブレンドを含む場合、又は、非イオン性界面活性剤が、ヒドロキシル酸アルキル鎖を含有するエトキシル化誘導体を含む場合に生じ得ると考えられる。
【００７７】
加えて、理論に束縛されるものではないが、界面活性剤の濃度と、疎水性処理されたウェブを親水性にするために使用される疎水性剤の量との両方が、誘導される利益のための特定の基準を満たすべきであることが見出された。具体的には、疎水性ウェブは、疎水性処理されたウェブを印刷ゾーンにおいて親水性にするために、０．５ｇｓｍを超える処理剤（局所的な印刷又は局所的パターン化）で処理されてもよい。非疎水性に処理されたウェブ上では、トップシートを親水性にするために必要となる界面活性剤は少なくなる。しかしながら、より少ない処理剤を使用する場合、サンプルが湿潤しているときに界面活性剤の移動が増加することが判明している。
【００７８】
理論に束縛されるものではないが、添加される界面活性剤の濃度と、界面活性剤が配置される表面の疎水性の程度とを相関させることにより、界面活性剤の移動が最小限に抑えられ得ることが判明している。疎水性の適切なレベルは、疎水性処理剤を加えることによって達成され得る。したがって、所望の界面活性剤の量が定量化されると、界面活性剤の移動を低減するために又はその逆にするために望まれる疎水性の必要なレベルを、ウェブの疎水性のレベルに基づいて計算することができ、親水性にするために必要な界面活性剤の必要量を定量化することができる。次に、疎水性処理剤を用いてトップシートの所望の疎水性を達成するトップシートに添加するために必要な疎水性処理剤の量を計算することによって、必要なレベルの疎水性が達成され得る。したがって、理論に束縛されるものではないが、任意の所与のトップシートに関し、界面活性剤の所与の濃度に対して界面活性剤の移動を低減するために必要とされる疎水性処理剤の濃度が計算され得る。
【００７９】
上記のように、適用された界面活性剤の濃度は、界面活性剤の移動に影響を及ぼす。界面活性剤の濃度が増加するにつれて、全ての他の変数が一定に保たれた状態でも移動量は増加することになる。しかしながら、ウェブが０．５ｇｓｍ超の添加剤で処理され、界面活性剤が０．５ｇｓｍ〜３ｇｓｍである場合、処理された領域は親水性を示し、２未満の湿潤移動を呈する。３ｇｓｍを超えると、界面活性剤は、界面活性剤が高濃度であることにより、乾燥又は湿潤時に拡散すると考えられる。これは、０．１ｇｓｍ〜０．１６ｇｓｍ又は０．４％〜０．６５％の界面活性剤を利用する、現在市場に存在するほとんどのウェブと異なる。更に、処理が０．５ｇｓｍ超で使用され、界面活性剤が０．５ｇｓｍ〜３ｇｓｍである場合、材料は５秒未満の裏抜けを呈する。裏抜けは、一定量の流体が上部表面から吸収性層の中へと吸収されるのに必要な時間量として認識される。
【００８０】
表のデータを示す図
図１０〜図１５は、上の表の物品を表す。図１０〜図１５に示されるように、図Ａは新たな乾燥サンプルを表し、図Ｂは新たな湿潤サンプルを表し、図Ｃは、４０℃、相対湿度７５％で１ヶ月を経た後の乾燥サンプルを表し、図Ｄは、４０℃及び相対湿度７５％で１ヶ月を経た後の湿潤サンプルを表す。
【００８１】
図１０Ａ〜図１０Ｄ（グレースケールで示される）は、添加剤を含まないＢＩＣＯサンプルを表す。図１１Ａ〜図１１Ｄは、ＢＩＣＯ＋ＧＴＳサンプルを表す。図１２Ａ〜図１２Ｄは、ＷＲ１３００を有するＢＩＣＯサンプルを表す。図１３Ａ〜図１３Ｄは、ＡＥＲＯＳＩＬ  Ｒ  ８１２を有するＢＩＣＯサンプルを表す。図１４Ａ〜図１４Ｄは、添加剤を含まないポリプロピレンサンプルを表す。図１５Ａ〜図１５Ｄは、エルカミドを有するポリプロピレンサンプルを表す。
【００８２】
上述のように、乾燥移動は、印刷パターンにおける変化として単純に測定された。湿潤移動のために、青色染料を有する生理食塩水の滴を添加した。青色染料を有する生理食塩水の液滴について、流体の広がりを測定した。印刷の１日後、１ヶ月のエージング後にサンプルを試験した。
【００８３】
上記の表１及び図１０〜図１５に示されるように、乾燥移動は、ＰＰ基材と比較して、ＢＩＣＯ基材上で最悪であった。これは、ウェブの画像においてより良好に観察される。しかしながら、未処理の基材（ＢＩＣＯ及びＰＰ）の両方が、有意な湿潤移動をもたらしている。加えて、ＡＥＲＯＳＩＬ（登録商標）Ｒ  ８１２粒子を有するＢＩＣＯもまた、湿潤移動（２超）を有した。しかしながら、未処理のＢＩＣＯと比較して、ＡＥＲＯＳＩＬ（登録商標）Ｒ  ８１２粒子は、全体的な界面活性剤の移動を減少させた。ＡＥＲＯＳＩＬ（登録商標）Ｒ  ８１２粒子は、非粒子処理ほど効果的に界面活性剤をウェブ表面に結合させることができないと考えられる。
【００８４】
ＧＴＳ、エルカミド、及びＷＲ１３００を用いた疎水性処理は全て、界面活性剤を有する領域のみを親水性に維持して、湿潤移動を低減した。一部の乾燥移動はＧＴＳを用いて視認可能であるが、流体は界面活性剤を有するゾーン内に局在したままであった。理論に束縛されるものではないが、界面活性剤の移動の乾燥と保持湿潤とでは、異なる機構が存在するように思われる。界面活性剤を不動化する結合剤が存在しないため、界面活性剤とウェブとの相互作用が重要であると考えられる。界面活性剤の疎水性は、表面に「結合する」疎水性処理分子のアルキル鎖と相互作用すると考えられる。
【００８５】
界面活性剤は、エタノール中の溶液からインクジェット印刷によって添加されてもよい。インクジェットに加えて、いくつかの接触方法が、ウェブ上に界面活性剤配合物を適用するために用いられ得る。界面活性剤配合物をウェブに添加するために、フレキソ印刷、スプレー、スロットコーティングなどを含めて、他の方法が用いられてもよい。界面活性剤はまた、界面活性剤が７０℃以上で液体であり、高温で安定であり、純粋に適用され得るという条件で、高速でオンラインで添加されてもよい。例えば、Ｓｔａｎｔｅｘ  Ｓ６３２７は、これらの条件下で、印刷によって溶媒を使用して添加されてもよい。
【００８６】
以下の表に示すように、印刷パターン及び繊維上で使用される溶融添加剤の組成を改変することができる。例えば、界面活性剤のストライプと界面活性剤のストライプの寸法（幅と長さの両方）との分離性を変化させることができる。
【００８７】
本明細書に開示される組成物は、印刷方法、又は当該技術分野において既知の連続スプレー若しくは押出によって、あるいは、米国特許出願第５，９６８，０２５号に開示されているように、あるいは２０１６年９月９日出願の米国特許出願第６２／３８５，２６５号に開示されている方法によって適用され得る。
【００８８】
本発明の組成物は、非接触印刷、例えばインクジェット印刷による付着を最適化するように配合されてもよい。例えば、所望の組成物の成分は、水又は別の有機溶媒などの好適な溶媒中に溶解又は分散され得る。いくつかの好適な有機溶媒としては、アセトン、ジエチルケトン、シクロヘキサノンなどのケトンが挙げられる。更なる好適な溶媒としては、メタノール、エタノール、ｎ−プロパノール、イソプロパノール、ｎ−ブタノール、１−メトキシ−２−プロパノールなどのアルコールが挙げられる。更なる好適な溶媒としては、エチルアセテート、プロピルアセテート、ブチルアセテートなどのエステルが挙げられる。更なる例としては、エーテル、ラクトン、及びアミドが挙げられる。望まれる場合、溶媒の混合物が用いられてもよい。加えて、界面活性剤、レオロジー変性剤、及び染料又は顔料などの着色剤が配合物に添加されてもよい。
【００８９】
組成物の粘度がインクジェットによる付着のために正しい範囲で設けられるように、付着される組成物が加熱され得る更なる形態が想到される。例えば、ホットメルト用の加熱印刷ヘッドが、カリフォルニア州サンタクララのＦｕｊｉｆｉｌｍ  Ｄｉｍａｔｉｘ，Ｉｎｃ．から商品名ＧＡＬＡＸＹ  ＰＨ２５６／８０ＨＭとして入手可能である。
【００９０】
インクジェット印刷は一般に、液滴の配列の生成に依存する。液滴排出中の組成物の挙動は、密度、粘度、及び表面張力などの材料特性に依存する。インクジェット印刷されるときの組成物の挙動は、２つの無次元数、すなわち、オーネゾルゲ数及びウェーバー数によって予測され得る。Ｏｈ数を決定するための式は、以下である。
【００９１】
【数１】
2021527501.tif 000006
式中、ηは粘度であり、ρは密度であり、γは組成物の表面張力であり、Ｌは特性直径（インクジェット印刷のためのメートル単位の印刷ヘッドノズル直径）である。
【００９２】
安定した液滴形成は、オーネゾルゲ数の逆数、すなわちＺ＝１／Ｏｈによって特徴付けられ得る。安定した液滴形成は、１４≧Ｚ≧１のときに組成物から予想され得る。所望の組成物の粘度は、２００〜２０ｓ−１の剪断速度を有する目標動作温度で測定されるべきである。表面張力はＮ／ｍで記録されるべきである。密度はｋｇ／ｍ３で計算されるべきであり、粘度はＰａ・ｓで記録されるべきである。
【００９３】
加えて、本発明の組成物は、約４〜１０００のウェーバー数を含んでもよい。ウェーバー番号は、以下のように計算され得る。
【００９４】
【数２】
2021527501.tif 000007
式中、ρは、組成物のｋｇ／ｍ３単位の密度であり、νは、組成物のｍ／ｓ単位の速度であり、Ｌは、特性直径（インクジェット印刷用の印刷ヘッドノズル直径）であり、γはＮ／ｍ単位の表面張力である。
【００９５】
本発明の組成物は、約５〜２５センチポアズの粘度を含んでもよい。組成物は、約２５〜４０ダインの表面張力を含んでもよい。本発明のいくつかの形態では、組成物は、約０．６グラム／立方ｃｍ〜約２．０グラム／立方ｃｍの密度を含んでもよく、具体的にはこの範囲内の全ての値及びそれによって作られる任意の範囲を含む。
【００９６】
任意の好適なプリンタが、本発明の目的のために利用され得る。前述のように、組成物部位は、複数の別個のドット又は液滴を含んでもよい。インク液滴の体積は、特定の印刷技術に依存し得る。例として、ＶＩＤＥＯＪＥＴ連続インクジェットプリンタである印刷ユニットは、約２４０ρＬのインク滴容積を有し得、比較的高い液滴速度（例えば、約１３ｍ／ｓ）で送達される。他の印刷技術（例えば、オンデマンドの圧電ドロップ）では、連続インクジェット印刷よりも低い液滴速度（すなわち、約２分の１ｍ／ｓ）で送達される、約１ρＬ〜約８０ρＬの範囲の体積を有するインク滴など、比較的小さい体積を有するインク滴が送達され得る。当業者には、異なるインクジェット技術（例えば、連続、圧電、熱、弁）、並びに異なる液滴サイズ範囲及び異なるジェット速度が存在することが知られている。一般に、液滴サイズがより小さいことは、ＣＤ  ｄｐｉ（解像度）がより高いことを意味する。範囲１〜２４ｐＬは、３００〜６００ｄｐｉのＣＤ解像度に等しい。ＶＩＤＥＯＪＥＴ  ＣＤ解像度は、１２８ｄｐｉである。したがって、ＣＤにおける液滴がより多いことは、繊維にヒットする機会がより良好に得られることを意味し、その結果、画質が向上し、インクのブロースルーもより少なくなり得る。落下速度が遅くなるほど、インクのブロースルーも少なくなる。
【００９７】
例示的な連続インクジェットプリンタが、Ｖｉｄｅｏｊｅｔ  Ｔｅｃｈｎｏｌｏｇｉｅｓ，Ｉｎｃ．（イリノイ州ウッドデール）から入手可能であり、商品名ＶＩＤＥＯＪＥＴ  ＢＸとして販売されている。連続インクジェットプリンタの場合、インク液滴は、印刷ヘッドのジェットの全てから連続的に分配されるが、特定のインク液滴のみが、組成物部位で前駆体ウェブ、中間ウェブ、又は二次ウェブに到達することが可能である。インク液滴を連続再使用のために再利用フローに偏向させることによって、他のインク液滴が前駆体ウェブ、中間ウェブ、又は二次ウェブに到達することが防止され得る。各印刷ヘッドの個々のインクジェットの動作は、ＶＩＤＥＯＪＥＴ  ＢＸシステムに含められたコントローラによって制御され得る。
【００９８】
本発明で使用するための例示的なドロップオンデマンドプリンタは、複数の組成物の付着を可能にする複数の印刷ヘッドを含んでもよい。一般に、本発明のプリンタは、コントローラと、１つ以上の印刷ヘッドと、組成物管理システムと、を含み得る。プリンタの好適な例としては、カリフォルニア州サンタクララのＦｕｊｉＦｉｌｍ  Ｄｉｍａｔｉｘ，Ｉｎｃ．から入手可能な１０２４  ＰＨ開発キットが挙げられる。利用され得る印刷ヘッドの好適な例としては、ＦｕｊｉＦｉｌｍ  Ｄｉｍａｔｉｘ，Ｉｎｃ．から入手可能なＳＧ−１０２４  ＭＡが挙げられる。
【００９９】
本開示によって企図される実施例
Ａ．吸収性物品であって、液体透過性トップシートであって、当該吸収性物品の内部に向かって方向付けられる内側表面と、当該吸収性物品が着用されているときに着用者の皮膚に向かって方向付けられる外側表面と、を有し、当該トップシートの少なくとも一部分が疎水性となるように処理されている、液体透過性トップシートと、
当該トップシートに接合されたバックシートであって、当該吸収性物品の当該内部に向かって方向付けられる内側表面と、当該吸収性物品が着用されているときに当該着用者の衣類に向かって方向付けられる外側表面と、を有する、バックシートと、
当該トップシートと当該バックシートとの間に配設された吸収性コアであって、当該吸収性物品が着用されているときに当該着用者の当該皮膚に向かって方向付けられる内側表面と、当該吸収性物品が着用されているときに当該着用者の当該衣類に向かって方向付けられる外側表面と、を有する、吸収性コアと、
当該トップシートの当該外側表面の少なくとも一部分に適用される界面活性剤であって、当該トップシートは、疎水性に処理され、親水性界面活性剤は、疎水性に処理された領域に添加される、界面活性剤と、を含む、吸収性物品。
【０１００】
Ｂ．トップシートは疎水性ゾーンと親水性ゾーンとを含み、親水性ゾーンは、疎水性処理剤を有する領域上に配置された親水性界面活性剤を含む、実施例Ａの吸収性物品。
【０１０１】
Ｃ．界面活性剤は、非イオン性、カチオン性、アニオン性、又はこれらの組み合わせである、実施例Ａ〜Ｂの吸収性物品。
【０１０２】
Ｄ．界面活性剤は、Ｃ１２以上の炭素鎖を有するＰＥＧジエステルを含む、実施例Ａ〜Ｃに記載の吸収性物品。
【０１０３】
Ｅ．界面活性剤は、Ｃ１２以上のアルコールエトキシレート又はＰＥＧジエステルを含む、実施例Ａ〜Ｄの吸収性物品。
【０１０４】
Ｆ．界面活性剤は、少なくとも５個のエチレンオキシド単位であるＰＥＧ基を含む、実施例Ａ〜Ｅの吸収性物品。
【０１０５】
Ｇ．界面活性剤は、６個のエチレンオキシド基と２０個のエチレンオキシド基との間にあるＰＥＧ基を含む、実施例Ｆに記載の吸収性物品。
【０１０６】
Ｈ．界面活性剤は、５０％超のＣ１２以上の鎖長を有するブレンドを含む、実施例Ａ〜Ｇの吸収性物品。
【０１０７】
Ｉ．界面活性剤は、ヒドロキシル酸アルキル鎖を含有するエトキシル化誘導体を含む、実施例Ａ〜Ｈの吸収性物品。
【０１０８】
Ｊ．トップシートは、約４個〜約３２個の炭素原子を有する石油系炭化水素、約１２個〜約２４個の炭素原子を有する脂肪アルコール、ポリシロキサン化合物、脂肪酸エステル、アルキルエトキシレート、脂肪鎖中に約１２個〜約２８個の炭素原子を有する脂肪アルコールエーテル、ラノリン及びその誘導体、Ｃ１２〜Ｃ２８脂肪酸のアセトグリセリド及びエトキシル化グリセリドを含むグリセリド誘導体、脂肪酸アミド、並びにこれらの組み合わせからなる群から選択される処理剤によって疎水性に処理される、実施例Ａ〜Ｉの吸収性物品。
【０１０９】
Ｋ．トップシートは、アミド、トリグリセリド、機能性シリコーン、ＷＲ１３００、又はこれらの組み合わせからなる群から選択される処理剤によって疎水性に処理される、実施例Ａ〜Ｊの吸収性物品。
【０１１０】
ＡＡ．トップシート上の界面活性剤の移動を制限する方法であって、
疎水性コーティング処理剤を含むか又は疎水性溶融添加剤を含む不織布を提供する工程と、
疎水性コーティング処理剤又は疎水性溶融添加剤で処理されたトップシートの部分を界面活性剤で処理する工程と、を含む、方法。
【０１１１】
ＢＢ．界面活性剤は、Ｃ１２以上の炭素鎖を有するＰＥＧジエステルを含む、実施例ＡＡの方法。
【０１１２】
ＣＣ．界面活性剤は、Ｃ１２以上のアルコールエトキシレート又はＰＥＧジエステルを含む、実施例ＡＡ又はＢＢの方法。
【０１１３】
ＤＤ．界面活性剤は、少なくとも５個のエチレンオキシド単位であるＰＥＧ基を含む、実施例ＡＡ〜Ｃの方法。
【０１１４】
ＥＥ．界面活性剤は、６個のエチレンオキシド基と２０個のエチレンオキシド基との間にあるＰＥＧ基を含む、実施例ＤＤに記載の方法。
【０１１５】
ＦＦ．界面活性剤は、５０％超のＣ１２以上の鎖長を有するブレンドを含む、実施例ＡＡ〜ＥＥの方法。
【０１１６】
ＧＧ．界面活性剤は、ヒドロキシル酸アルキル鎖を含有するエトキシル化誘導体を含む、実施例ＡＡ〜ＦＦの方法。
【０１１７】
ＨＨ．トップシートは、約４個〜約３２個の炭素原子を有する石油系炭化水素、約１２個〜約２４個の炭素原子を有する脂肪アルコール、ポリシロキサン化合物、脂肪酸エステル、アルキルエトキシレート、脂肪鎖中に約１２個〜約２８個の炭素原子を有する脂肪アルコールエーテル、ラノリン及びその誘導体、Ｃ１２〜Ｃ２８脂肪酸のアセトグリセリド及びエトキシル化グリセリドを含むグリセリド誘導体、並びにこれらの組み合わせからなる群から選択される処理剤によって疎水性に処理される、実施例ＡＡ〜ＧＧの方法。
【０１１８】
ＩＩ．トップシートは、エルカミド、ＧＴＳ、ＷＲ１３００、又はこれらの組み合わせからなる群から選択される処理剤によって疎水性に処理される、実施例ＡＡ〜ＨＨの方法。
【０１１９】
試験方法
原材料の湿潤及び乾燥移動
親水性パターンを不織布基材上に印刷する効果的な実施を実証するための好適な方法は、以下のとおりである。画像解析を使用して、不織布基材上の初期の印刷パターン寸法と、エージングされた不織布基材上の印刷パターン寸法とを比較することによって、印刷された親水性パターンの湿潤及び乾燥移動を評価する。全ての測定は、一定温度（２３℃±２℃）及び相対湿度（５０％±２％）で実施される。
【０１２０】
様々な方法を使用して、親水性コーティングパターンを不織布基材に適用することができる。１つの好適な方式は、インクジェットプリンタ（例えば、カリフォルニア州サンタクララのＦｕｊｉＦｉｌｍ  Ｄｉｍａｔｉｘ，Ｉｎｃ．から入手可能な１０２４  ＰＨ開発キット）を使用することである。印刷ＤＰＩ（ドット／インチ）は、不織布に適用される親水性コーティングの量を制御するために使用され、親水性コーティング含浸量の坪量は、パターンに局所的に印刷された１平方メートル当たりのグラムとして報告される。
【０１２１】
距離スケール（例えば、ＮＩＳＴ又は同等物にトレース可能な較正されたルーラー）と共に、親水性コーティングを印刷された（印刷された側が上向き）不織布サンプルを、ライトボックスの基部全体に安定した均等な照明を提供する、ライトボックス内の艶消し白色の背景上に水平に平らに置く。好適なライトボックスは、ＳＡＮＯＴＯ  ＭＫ５０（Ｓａｎｏｔｏ（Ｇｕａｎｇｄｏｎｇ，Ｃｈｉｎａ））又は同等物であり、これは、５５００Ｋの色温度で５５００ルクスの照明を提供する。手動設定制御（例えば、ニコン（日本、東京）から入手可能なＮＩＫＯＮ  Ｄ４０Ｘ、又は同等物）を有するデジタル一眼レフレックス（Digital Single-Lens Reflex、ＤＳＬＲ）カメラは、不織布サンプル及び距離スケールの全体がカメラの視野内で視認可能となるように、ライトボックスの頂部の開口部の真上に載置される。
【０１２２】
標準的な１８％グレイカード（例えば、Ｘ−Ｒｉｔｅ（Ｇｒａｎｄ  Ｒａｐｉｄｓ，ＭＩ）から入手可能なＭｕｎｓｅｌｌ  １８％  Ｒｅｆｌｅｃｔａｎｃｅ（Ｇｒａｙ）Ｎｅｕｔｒａｌ  Ｐａｔｃｈ／Ｋｏｄａｋ  Ｇｒａｙ  Ｃａｒｄ  Ｒ−２７、又は同等物）を使用して、カメラのホワイトバランスは、ライトボックスの内側の照明条件のためにカスタム設定される。カメラの手動設定は、画像が適切に露光されるように設定され、これにより、色チャネルのうちのいずれにおいても信号クリッピングがない。好適な設定は、ｆ／１１の絞り設定、４００のＩＳＯ設定、及び１／４００秒のシャッター速度設定であってもよい。３５ｍｍの焦点距離で、カメラは、サンプルの約１４インチ上に載置される。画像は、適切に焦点合わせして、撮影し、ＪＰＥＧファイルとして保存される。得られる画像には、１５ピクセル／ｍｍの最小解像度で不織布サンプル及び距離スケール全体が収められる必要がある。
【０１２３】
不織布基材（例えば、２５ｇｓｍ  ＢｉＣｏ  ７０：３０）を１５０ｍｍ×１５０ｍｍのサンプルに切断する。サンプルは、しわ、裂け目、又は他の目に見える欠陥のないものであるべきであり、表面を汚染又は変形させないように注意すべきである。親水性コーティングを印刷する前に、不織布サンプルを、２３±２℃及び相対湿度５０％±２％で少なくとも２時間にわたって調整する。
【０１２４】
印刷されたパターンの視認性を得るために着色剤として０．４％のＯｉｌ  Ｒｅｄ  ＥＧＮ染料（ミズーリ州セントルイスのＳｉｇｍａ−Ａｌｄｒｉｃｈから入手可能なもの又はその透過物）を添加して、好適な親水性コーティング（例えば、ノースカロライナ州ロックヒルのＰｕｌｃｒａ  Ｃｈｅｍｉｃａｌｓから入手可能な、２５％のエタノールで希釈されたＳＴＡＮＴＥＸ  Ｓ６３２７）を調製する。親水性コーティング溶液を０．４５ｕｍシリンジフィルター（例えば、ＶＷＲ  Ｉｎｔｅｒｎａｔｉｏｎａｌから入手可能なＡＣＲＯＤＩＳＣ  ＣＲ  ２５ｍｍ  ＰＴＦＥ膜、又は同等物）に通して濾過して、存在する任意の微粒子を除去する。
【０１２５】
この実施例では、親水性コーティングの５ｍｍ×８０ｍｍのストライプ模様が、インクジェットプリンタを使用して不織布基材上に印刷される。試験される各エージング条件に関して、不織布／親水性コーティングの組み合わせごとに合計５つの複製サンプルを調製する。親水性パターンで印刷された不織布サンプルを、２３℃±２℃及び相対湿度５０％±２％に制御された室内に２４時間にわたって保管する。
【０１２６】
印刷から２４時間±２時間後に、親水性コーティングストライプの初期幅（Ｗｉ）を、不織布の捕捉された写真画像上で測定する。ライトボックス内の艶消し面上に距離スケールに沿って、印刷された側を上に向けて不織布サンプルを水平に広げて置き、画像を捕捉する。画像を解析するために、画像解析ソフトウェア（例えば、Ｎａｔｉｏｎａｌ  Ｉｎｓｔｉｔｕｔｅ  ｏｆ  Ｈｅａｌｔｈによって配布されているＩｍａｇｅ  Ｊ、又は同等物）を実行するコンピュータ上に転送する。画像解像度は、画像内の較正された距離スケールを使用して較正されて、１ミリメートル当たりのピクセル数を決定する。親水性コーティングストライプの幅を０．０１ｍｍ単位で測定する。同様に、追加の４つの実質的に同様の複製サンプルの画像を収集し、それぞれの親水性コーティングストライプの幅を得る。幅の相加平均を計算し、Ｗｉを０．０１ｍｍ単位で報告する。
【０１２７】
Ｗｉを収集した後、親水性コーティングで印刷された各サンプルをアルミニウム箔シートの間に置き、エージングのために４０℃±２℃及び相対湿度７５％±２％に制御された室内に１ヶ月間（例えば４週間）にわたって保管する。１ヶ月後、各パターン印刷されたサンプルの５つの複製を、試験前に２３℃±２℃及び相対湿度５０％±２％に制御された室内で２〜４時間にわたって引っ張り、平衡化する。
【０１２８】
乾燥移動を評価するために、エージングされた不織布サンプル上の親水性コーティングストライプの幅（Ｗａ）を、印刷されたストライプの初期幅の測定に関して説明したのと同じ方式で、捕捉された写真画像上で測定し、解析する。合計５つの実質的に同じ複製サンプルを測定する。幅の相加平均を計算し、Ｗａを０．０１ｍｍ単位で報告する。
【０１２９】
エージングされた不織布上の印刷された親水性コーティングストライプ全体にわたって流体が広がる距離を用いて、湿潤移動を評価する。試験流体は、より良好な視認性を得るために、０．９％のＮａＣｌ水性染色の青色（例えば、０．２重量％メチレンブルー）とする。Ｗａを測定した後、エージング済みのパターン印刷された不織布サンプルを、印刷された側を上向きにして水平に位置付け、平らに広がるが変形のないように固定し、また過度の毛管力を防止するために、試験流体と下にある表面との間のいかなる相互作用をも回避する。サンプルを位置付けるのに好適な方法は、パターン印刷された不織布の表面を上昇させ、印刷されたストライプの直下の表面が空気となるように、サンプルを変形させずに縁部を固定することである。吊り下げられた不織布サンプルを、ライトボックス内の艶消し面上に距離スケールに沿って置く。距離スケールがサンプルと同じ高さに位置付けられていることを確実にする。試験流体の３５ｕＬの液滴を、親水性コーティングストライプ上にその長手方向及び横方向の中点に配置する。２つの付加的な３５ｕＬの液滴を、最初の液滴から約２０ｍｍの距離をおいて最初の液滴の各側部に１つ、親水性コーティングストライプ上に配置する。３０分間待つ。本明細書で前述されたように、写真画像を捕捉し、解析のためにこれを事前に準備する。流体の幅（Ｗｆ、ａ）を、親水性コーティングの印刷されたストライプ全体にわたって垂直に広がる流体の最大距離として測定する。合計５つの実質的に同じ複製サンプルを測定する。流体の幅の相加平均を計算し、Ｗｆ、ａを０．０１ｍｍ単位で報告する。
【０１３０】
親水性コーティングの印刷されたストライプの初期幅（Ｗｉ）と、エージングされた不織布上の親水性コーティングの印刷されたストライプの幅（Ｗａ）に対する比として、乾燥移動（Ｍｄｒｙ）を計算する。Ｍｄｒｙを０．０１ｍｍ単位で報告する。
Ｍｄｒｙ＝Ｗａ／Ｗｉ（表１に乾燥１Ｍの行により例示）
【０１３１】
親水性コーティングの印刷されたストライプの初期幅（Ｗｉ）と親水性コーティングで印刷されたエージング済みの不織布上の流体の幅（Ｗｆ  Ａ）と比として、湿潤移動エージング（Ｍｗｅｔ  Ａ）を計算する。Ｍｗｅｔを０．０１ｍｍ単位で報告する。
Ｍｗｅｔ＝Ｗｆ，ａ／Ｗｉ（表１にエージング湿潤の行により例示）
【０１３２】
上述のように、ただし新たなサンプルを用いて計算された流体の初期幅（Ｗｆ  Ｉ）を親水性コーティングの印刷されたストライプの初期幅（Ｗｉ）で割ることによって、サンプルを湿潤させたときの親水性コーティングの初期移動（Ｍｗｅｔ  Ｉ）を計算することもできる。
Ｍｗｅｔ  Ｉ＝Ｗｆ  Ｉ／Ｗｉ
【０１３３】
最終製品の親水性パターン検出及び乾燥移動方法
乾燥状態にある吸収性物品の最も外側の身体対向層（すなわちトップシート）上の親水性パターン（例えば、印刷された界面活性剤）の存在を決定するために、層を吸収性物品から切除し、ＴｏＦ−ＳＩＭＳを使用して解析する。親水性パターンが検出された場合、乾燥移動試験を実施する。乾燥移動は、画像解析を使用して、初期の親水性パターンの全面積を、エージング済みの試験サンプル上のパターンの全面積と比較することによって評価される。試験に先立ち、試験サンプルを２３℃±２℃及び相対湿度５０％±２％で２時間にわたって調整し、同じ環境条件下で全ての試験を実施する。
【０１３４】
飛行時間型二次イオン質量分析法（ＴｏＦ−ＳＩＭＳ）を使用して、フィルム又は不織布表面上の活性物質の分布及び移動を評価することができる。ＴｏＦ−ＳＩＭＳは、試験片の表面の最も外側の３ｎｍ上における界面活性剤分布の半定量的質量スペクトル及び画像解析を提供する。親水性パターン全体の全面積は、吸収性物品から切除されたトップシート全体にわたって測定される。したがって、試験サンプルが視野よりも大きい場合、必要となるトップシート試験サンプルの分割が最小限となるように、器具が大きな視野（例えば、６ｃｍ×６ｃｍ）を有することが理想的である。好適なＴｏＦ−ＳＩＭＳ器具は、ＩＯＮ  ＴＯＦ（Ｍｕｎｓｔｅｒ，Ｇｅｒｍａｎｙ）から入手可能なＴＯＦ．ＳＩＭＳ  ５又はその同等物である。
【０１３５】
生産後６ヶ月以下の吸収性物品を得る。ロットコードを用いて、製品の生産日を決定する。包装材が存在する場合、その包装材から吸収性物品を取り出す。試験サンプルを得るために、プロセス中にいかなる汚染も歪みをも層に付与しないように注意しながら、吸収性物品からトップシート全体を切除する。必要であれば、低温スプレー（Ｍｉｌｌｅｒ−Ｓｔｅｐｈｅｎｓｏｎ  Ｃｏｍｐａｎｙ（Ｄａｎｂｕｒｙ、ＣＴ）のＱｕｉｃｋ−Ｆｒｅｅｚｅなど）を使用して、試験サンプルを下層から取り出すことができる。
【０１３６】
吸収性物品から切除されたトップシート試験サンプル全体の測定は、試験サンプルをセクション（試験標本）へと切断し、同じ器具条件下で連続的に分析し、試験サンプル画像を、測定後の解析を経て一緒に再ステッチングして、トップシート試験サンプル全体の１つの画像を作成することによって適応され得る。したがって、トップシート試験サンプルが視野よりも大きい場合、後の画像再ステッチングが可能となるように各々の位置（例えば、左前、右後など）に留意して、そのトップシート試験サンプルを適切なサイズの試験標本（例えば、器具の視野を越えない）に切断する。両面テープ（３ＭによるＳｃｏｔｃｈ  Ｒｅｐｏｓｉｂｌｅａｂｌｅ  ｔａｐｅ（米国）など、高真空システムと適合するようにガス抜けのないもの）によってＴｏＦ−ＳＩＭＳ計器サンプルホルダー上に可能な限り平坦に試験片を取り付ける。サンプル調製プロセス中に上面を汚染することを回避する。取り付け後、次いで試験片を、３０ｋｅＶのＢｉ３＋一次イオンビームを使用して質量スペクトル及び画像測定のために、高真空ＴｏＦ−ＳＩＭＳシステム（＜１ｘ１０−８トル）にポンプ圧送する。ＴｏＦ−ＳＩＭＳ機器の「束モード」を使用した静的ＴｏＦ−ＳＩＭＳ分析（一次イオンフルエンス＜閾値（１×１０１３イオンｃｍ−２））は、一次ビームの目標電流（典型的には〜０．３ｐＡ）を制御し、３０ｎｓのプレバンチャーパルス幅を用いることによって達成される。トップシートの絶縁性に起因する電荷補償のために、低エネルギー電子（〜２０ｅＶ）をパルス化電子フラッドガンによって供給する必要がある。複数のサンプル及び試験片からなる試験において、データを比較可能にするために、全ての測定を同じ器具条件下で実施する必要がある。試験片上に付着された界面活性剤種を表す特性信号（正モード又は負モード）は、既知の界面活性剤原材料の質量スペクトルを収集すること、又は界面活性剤付着を伴う試験片表面と界面活性剤付着を伴わない試験片表面との間で質量スペクトルを比較することのいずれかによって、一意に選択される。選択された界面活性剤信号の化学分布を所望の視野（例えば、１つの測定当たり最大６ｃｍ×６ｃｍ）上にマッピングするか、又は複数のマクロ画像を一緒にステッチングしてトップシート試験サンプル全体を含む１つの画像を作成するために、マクロ画像解析を実施する。
【０１３７】
サンプル間の界面活性剤強度を直接的に比較するために、予め特定された界面活性剤信号を有する全ての選択された二次イオン画像を、各サンプル内の総イオン強度に対して正規化する。計器と共に提供されたソフトウェア（例えば、ＩＯＮ  ＴＯＦソフトウェア（ＳｕｒｆａｃｅＬａｂ  ６）又はその同等物）を使用して、視野の既知のサイズ又はそれぞれのサンプルサイズに基づいて正確な距離スケールを設定する。画像をＪＰＥＧファイルとして保存する。得られた画像の解像度（１５画素／ｍｍの最小解像度を有さなければならない）を書き留める。
【０１３８】
同様に、追加の４つの複製トップシート試験サンプルを切除し、分析し、それぞれをＪＰＥＧファイルとして保存する。全ての複製が同じ画像解像度を有する必要がある。これらの乾燥初期試験サンプルを処理するために、最終製品の画像解析方法に進む。
【０１３９】
乾燥移動を評価するために、後続の組の複製吸収性物品を、エージングのために４０℃±２℃及び相対湿度７５％±２％に制御された室内に４週間にわたって保管する。４週間後、各吸収性物品の５つの複製を、試験前に２３℃±２℃及び相対湿度５０％±２％に制御された室内で２〜４時間にわたって引っ張り、平衡化する。乾燥初期サンプルと同様の様式で（ＴｏＦ−ＳＩＭＳを介して）エージング済みの吸収性物品からトップシート試験サンプルを切除し、分析して、トップシート試験サンプルそれぞれ全体の１つの画像を作成する。初期サンプルと同じ解像度が使用されていることを確かめて、画像をＪＰＥＧファイルとして保存し、これらの乾燥エージング済み試験サンプルを処理するために最終製品の画像解析方法に進む。
【０１４０】
最終製品の親水性パターン検出及び湿潤移動方法
湿潤状態にある吸収性物品の最も外側の身体対向層（すなわちトップシート）上の親水性パターン（例えば、印刷された界面活性剤）の存在を決定するために、層を吸収性物品から切除し、着色水の表面に置く。親水性パターンが検出された場合、湿潤移動試験を実施する。湿潤移動は、画像解析を使用して、初期の親水性パターンの面積を、エージング済みの試験サンプル上のパターンの面積と比較することによって評価される。試験に先立ち、試験サンプルを２３℃±２℃及び相対湿度５０％±２％で２時間にわたって調整し、同じ環境条件下で全ての試験を実施する。
【０１４１】
以下に記載されるように、試験サンプルを着色水に曝露した後、試験サンプルを、ライトボックスの底部全体にわたって均等に安定した均一な照明を提供する、ライトボックス内の艶消し白色背景の上に水平に平らに吊るす。好適なライトボックスは、Ｓａｎｏｔｏ  ＭＫ５０（Ｓａｎｏｔｏ（Ｇｕａｎｇｄｏｎｇ，Ｃｈｉｎａ））又は同等物であり、これは、５５００Ｋの色温度で５５００ルクスの照明を提供する。得られた各画像間で照明条件が一貫していることを確実にするために、ライトボックス内の画像を捕捉する前に、光計を使用して照明及び色温度を検証する。好適な光計は、Ｋｏｎｉｃａ  Ｍｉｎｏｌｔａから入手可能なＣＬ−７０  Ｆ  ＣＲＩ  Ｉｌｌｕｍｉｎａｎｃｅ  Ｍｅｔｅｒ又はその同等物である。手動設定制御（例えば、ニコン（日本、東京）から入手可能なＮＩＫＯＮ  Ｄ４０Ｘ、又は同等物）を有するデジタル一眼レフレックス（Digital Single-Lens Reflex、ＤＳＬＲ）カメラは、試験サンプルの全体がカメラの視野内で視認可能となるように、ライトボックスの頂部の開口部の真上に載置される。
【０１４２】
標準的な１８％グレイカード（例えば、Ｘ−Ｒｉｔｅ（Ｇｒａｎｄ  Ｒａｐｉｄｓ，ＭＩ）から入手可能なＭｕｎｓｅｌｌ  １８％  Ｒｅｆｌｅｃｔａｎｃｅ（Ｇｒａｙ）Ｎｅｕｔｒａｌ  Ｐａｔｃｈ／Ｋｏｄａｋ  Ｇｒａｙ  Ｃａｒｄ  Ｒ−２７、又は同等物）を使用して、カメラのホワイトバランスは、ライトボックスの内側の照明条件のためにカスタム設定される。カメラの手動設定は、画像が適切に露光されるように設定され、これにより、色チャネルのうちのいずれにおいても信号クリッピングがない。好適な設定は、ｆ／１１の絞り設定、４００のＩＳＯ設定、及び１／４００秒のシャッター速度設定であってもよい。３５ｍｍの焦点距離で、カメラは、サンプルの約１４インチ上に載置される。画像は、適切に焦点合わせして、捕捉し、ＪＰＥＧファイルとして保存される。得られる画像には、１５ピクセル／ｍｍの最小解像度で試験サンプル全体が収められる必要がある。試験サンプルと同じ焦点距離及び解像度で取得されたルーラ（ＮＩＳＴによって認定された）の画像に対して、サンプル画像を距離較正する。
【０１４３】
生産後６ヶ月以下の吸収性物品を得る。ロットコードを用いて、製品の生産日を決定する。包装材が存在する場合は、その包装材から吸収性物品を取り出し、それぞれの長手方向端部の約３ｍｍ内側でトップシート上にマークを付ける。２つのマーク間の距離を測定し、ゲージ長として１ｍｍ単位で記録する。試験サンプルを得るために、プロセス中にいかなる汚染も歪みも層に付与しないように注意しながら、物品からトップシート全体を切除する。必要であれば、低温スプレー（Ｍｉｌｌｅｒ−Ｓｔｅｐｈｅｎｓｏｎ  Ｃｏｍｐａｎｙ（Ｄａｎｂｕｒｙ、ＣＴ）のＱｕｉｃｋ−Ｆｒｅｅｚｅなど）を使用して、試験サンプルを下層から取り出すことができる。０．０５重量％のメチレンブルー染料（ＶＷＲ  Ｉｎｔｅｒｎａｔｉｏｎａｌから入手可能）又は同等物を脱イオン水に添加することによって、試験液を調製する。試験サンプルを、以下のように、着色された試験液に曝露する。
【０１４４】
試験サンプル全体が内側で水平方向に平らになるように十分に大きい浅い皿を入手する。高さが約３ｍｍ、幅が２５ｍｍ以下、長さが試験サンプルの幅（側方縁部から側方縁部）と同等である合計６本のバーを入手する。バーは、ステンレス鋼（又は同等物）で作製されたものであり、また試験サンプルを定位置に保持するのに十分な重さのものである。試験サンプルを２本のバーに取り付ける。２本のバーを液体の皿内のライザーとして使用し、他の２本のバーをライトボックス内のライザーとして使用する。
【０１４５】
試験サンプルを、衣類側を上に向けて、水平方向に平坦な表面上に置く。幅約３ｍｍの両面テープを使用して、２つの標点のすぐ外側の２本のバーの底面に試験サンプルを固定する。試験サンプルバー間の距離を、それらの間の距離が標点距離と等しくなるように調整する。浅い皿の各端部に１つのライザーを、それらの間の距離が標点距離に等しくなるように置く。着色された試験液をライザーの高さに等しい深さまで皿に充填する。着色された試験液の皿に試験サンプルを注意深く移し、試験サンプルの身体対向表面が着色された試験液の表面と接触するように、バーを皿内のライザー上に置く。試験サンプル上の任意の親水性領域は、着色された試験液で湿潤されることにより、１０秒以内に顕著に着色される（例えば青色）。親水性パターンが検出されなかった場合、試験を終了する。１０秒後、親水性パターンが検出された場合、試験サンプル（まだ２本のバーに取り付けられている）を、着色された液から試験サンプルと同じサイズか又はそれよりも大きい吸取紙のシート（例えば、ＶＷＲ  Ｉｎｔｅｒｎａｔｉｏｎａｌから入手可能なＷｈａｔｍａｎ等級１）に注意深く移す。試験サンプルの身体対向表面を、３秒以下の間にわたって、吸い取り紙と接触させて、試験液の液滴を後側表面から除去する。ライトボックス内の艶消し白色の表面上に２つのライザーを、それらの間の距離が標点距離と等しくなるように置く。試験サンプルをライトボックスに注意深く移し、バーをライザー上に置き、それによってバーを艶消し白色の表面上に水平方向に平らに吊るす。試験サンプル全体の画像を捕捉する。試験サンプルをライトボックスから取り出す。距離スケール（ＮＩＳＴによって認定された）を、ライトボックスの内側のライザーの上部に水平方向に平らに置き、試験サンプルに使用されたものと同じ焦点距離及び解像度で画像を捕捉する。これが較正画像となる。
【０１４６】
同様に、追加の４つの複製トップシート試験サンプルを分析し、それぞれをＪＰＥＧファイルとして保存する。これらの湿潤初期試験サンプルを処理するために、最終製品の画像解析方法に進む。
【０１４７】
湿潤移動を評価するために、後続の組の複製吸収性物品を、エージングのために４０℃±２℃及び相対湿度７５％±２％に制御された室内に４週間にわたって保管する。４週間後、各吸収性物品の５つの複製を、試験前に２３℃±２℃及び相対湿度５０％±２％に制御された室内で２〜４時間にわたって引っ張り、平衡化する。湿潤初期サンプルと同様の方式で、エージング済みの吸収性物品からトップシート試験サンプルを切除し、分析する。照明条件、焦点距離、及び画像解像度が、湿潤初期試験サンプルに使用されたものと同じであることを確実にする。画像をＪＰＥＧファイルとして保存し、これらの湿潤エージング試験サンプルを処理するために最終製品の画像解析方法に進む。
【０１４８】
最終製品の画像解析方法
画像を解析するために、画像解析ソフトウェア（例えば、Ｎａｔｉｏｎａｌ  Ｉｎｓｔｉｔｕｔｅ  ｏｆ  Ｈｅａｌｔｈによって配布されているＩｍａｇｅ  Ｊ、又は同等物）を実行するコンピュータ上に画像を転送する。試験サンプル画像を画像解析プログラムで開き、距離較正を用いて距離スケールを設定して、１ミリメートル当たりのピクセル数を決定する。乾燥試験サンプルの場合は、画像内の距離スケールを使用して距離較正を行う。湿潤試験サンプルの場合は、較正画像を画像解析プログラムで開き、距離スケールの画像を用いて直線距離較正を行う。次いで、試験サンプル画像を、必要に応じて試験サンプルのみが含まれるようにトリミングする（例えば、湿潤サンプルを保持するために使用されるバーを除外する）。画像を８ビットのグレースケールに変換する。親水性パターンを含んだ領域（例えば、乾燥サンプルの場合はＴｏＦ−ＳＩＭＳによって検出された強度の領域、また湿潤サンプルの場合は着色された試験液によって染色された領域）を親水性パターンの一部でない領域から分離する値を閾値に設定して、二値画像を生成する。二値画像において、「ゼロ」又は「黒」は、親水性パターンに対応する。例えば、図１６Ａ、図１６Ｂ、図１７Ａ及び図１７Ｂを参照されたい。閾値が同じ試験サンプルタイプ（例えば、乾燥又は湿潤）の後続画像に使用され得るように、閾値に留意されたい。二値画像において、サンプルが乾燥初期であるか、乾燥エージング済みであるか、湿潤初期であるか、又は湿潤エージング済みであるかに留意して、試験サンプル上の親水性パターンの総面積（例えば、強調又は染色された領域を表す線、形状、輪郭）を測定し、０．０１平方ｍｍ単位で報告する。同様に、各タイプのサンプルについて全ての複製の画像を解析し、それぞれの親水性パターンの全面積を得る。各タイプのサンプルについて測定された全面積の算術平均を計算し、以下のように０．０１平方ｍｍ単位で報告する。
乾燥初期面積（ＡＤＲＹ、ｉ）及び乾燥エージング面積（ＡＤＲＹ、ａ）
湿潤初期面積（ＡＷＥＴ、ｉ）及び湿潤エージング面積（ＡＷＥＴ、ａ）
【０１４９】
親水性パターンの乾燥エージング面積と乾燥初期面積との間の％差として、乾燥移動（ＭＤＲＹ）の割合を計算する。ＭＤＲＹを０．１％単位で報告する。
％ＭＤＲＹ＝［（ＡＤＲＹ，ａ−ＡＤＲＹ，ｉ）／ＡＤＲＹ，ｉ］＊１００
【０１５０】
親水性パターンの湿潤エージング面積と湿潤初期面積との間の％差として、湿潤移動（ＭＷＥＴ）の割合を計算する。ＭＷＥＴを０．１％単位で報告する。
％ＭＷＥＴ＝［（ＡＷＥＴ，ａＡＷＥＴ，ｉ）／ＡＷＥＴ，ｉ］＊１００
【０１５１】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１５２】
「発明を実施するための形態」の中で引用される文献は全て、関連部分において参照により本明細書に組み込まれる。いかなる文献の引用も、それが本発明に対する先行技術であることを認めるものとして解釈されるべきではない。本文献における用語のいずれかの意味又は定義が、参照により組み込まれる文献における同じ用語のいずれかの意味又は定義と相反する限りにおいては、本文献においてその用語に割り当てられた意味又は定義が優先するものとする。
【０１５３】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021527501.tif 000008
【図２】
2021527501.tif 000009
【図３】
2021527501.tif 000010
【図４】
2021527501.tif 000011
【図５】
2021527501.tif 000012
【図６】
2021527501.tif 000013
【図７】
2021527501.tif 000014
【図８】
2021527501.tif 000015
【図９】
2021527501.tif 000016
【図１０Ａ】
2021527501.tif 000017
【図１０Ｂ】
2021527501.tif 000018
【図１０Ｃ】
2021527501.tif 000019
【図１０Ｄ】
2021527501.tif 000020
【図１１Ａ】
2021527501.tif 000021
【図１１Ｂ】
2021527501.tif 000022
【図１１Ｃ】
2021527501.tif 000023
【図１１Ｄ】
2021527501.tif 000024
【図１２Ａ】
2021527501.tif 000025
【図１２Ｂ】
2021527501.tif 000026
【図１２Ｃ】
2021527501.tif 000027
【図１２Ｄ】
2021527501.tif 000028
【図１３Ａ】
2021527501.tif 000029
【図１３Ｂ】
2021527501.tif 000030
【図１３Ｃ】
2021527501.tif 000031
【図１３Ｄ】
2021527501.tif 000032
【図１４Ａ】
2021527501.tif 000033
【図１４Ｂ】
2021527501.tif 000034
【図１４Ｃ】
2021527501.tif 000035
【図１４Ｄ】
2021527501.tif 000036
【図１５Ａ】
2021527501.tif 000037
【図１５Ｂ】
2021527501.tif 000038
【図１５Ｃ】
2021527501.tif 000039
【図１５Ｄ】
2021527501.tif 000040
【図１６Ａ】
2021527501.tif 000041
【図１６Ｂ】
2021527501.tif 000042
【図１７Ａ】
2021527501.tif 000043
【図１７Ｂ】
2021527501.tif 000044
【国際調査報告】
2021527501.tif 000045
2021527501.tif 000046
2021527501.tif 000047
2021527501.tif 000048